(57)【要約】  ＩＣタグラベル（１０）は、ＩＣチップ（１２）と、第１面（１１Ｆ）に沿って広がる平面コイルを含み、第１端部（３１ａ）と第２端部（３１ｂ）とを有した通信用アンテナ要素（３１）であって、平面コイルは瓶口（４１ａ１）上に配置される形状を有し、第１端部（３１ａ）がＩＣチップ（１２）に電気的に接続された通信用アンテナ要素（３１）と、第２面（１１Ｒ）における第１面（１１Ｆ）と対向する対向領域に位置する配線要素（２２）を含み、第２端部（３１ｂ）とＩＣチップ（１２）とを電気的に接続するブリッジ配線とを備える。通信用アンテナ要素（３１）は平面コイルの中央を含む空芯部（３１ｄ）を有し、配線要素（２２）は、第１面（１１Ｆ）と対向する平面視において、複数の屈曲部（２２ｄ１）を含み、空芯部（３１ｄ）を複数回にわたり横切る折線形状を含む単線である。
2018110512.tif 000002
【特許請求の範囲】
【請求項１】
ＩＣチップと、  第１面に沿って広がる平面コイルを含み、第１端部と第２端部とを有した通信用アンテナ要素であって、前記平面コイルは瓶口上に配置される形状を有し、前記第１端部が前記ＩＣチップに電気的に接続された前記通信用アンテナ要素と、  第２面における前記第１面と対向する対向領域に位置する配線要素を含み、前記第２端部と前記ＩＣチップとを電気的に接続するブリッジ配線と、を備え、  前記通信用アンテナ要素は前記平面コイルの中央を含む空芯部を有し、  前記配線要素は、前記第１面と対向する平面視において、複数の屈曲部を含み、前記空芯部を複数回にわたり横切る折線形状を含む単線である  ＩＣタグラベル。
【請求項２】
ＩＣチップと、  第１面に沿って広がる平面コイルを含み、第１端部と第２端部とを有した通信用アンテナ要素であって、前記平面コイルは瓶口上に配置される形状を有し、前記第１端部が前記ＩＣチップに電気的に接続された前記通信用アンテナ要素と、  第２面における前記第１面と対向する対向領域に位置する配線要素を含み、前記第２端部と前記ＩＣチップとを電気的に接続するブリッジ配線と、を備え、  前記通信用アンテナ要素は前記平面コイルの中央を含む空芯部を有し、  前記配線要素は、前記第１面と対向する平面視において、前記空芯部と重なる螺旋形状を含む単線である  ＩＣタグラベル。
【請求項３】
前記平面コイルは、前記空芯部を区画する環状部と第１線状部とを含み、  前記配線要素は、第２配線要素であり、  前記ブリッジ配線は、前記第１面に位置するとともに、前記第２配線要素に電気的に接続する第１配線要素であって、第２線状部を含む前記第１配線要素をさらに含み、  前記第１面と対向する平面視において、前記第１線状部および前記第２線状部は、前記環状部の周方向における別々の部位から前記環状部の径方向の外側に向けて延びており、かつ、１つの直線上に位置する  請求項１または２に記載のＩＣタグラベル。
【請求項４】
前記平面コイルは、前記空芯部を区画する環状部を含み、  前記平面コイルが前記瓶口上に配置されるとき、前記第１面と対向する平面視において、前記環状部は、周方向における１／２以上が前記瓶口の外側縁よりも内側に位置する大きさを有する  請求項１または２に記載のＩＣタグラベル。
【請求項５】
前記平面コイルが前記瓶口上に配置されるとき、前記ＩＣチップは、前記第１面において前記瓶口の外側縁よりも内側に位置し、  前記配線要素は、第２配線要素であり、  前記ブリッジ配線は、前記第１面に位置し、前記ＩＣチップに電気的に接続する第３端部と、前記第２配線要素に電気的に接続する第４端部とを含む第１配線要素をさらに含み、  前記第２端部は前記平面コイルにおいて最大の線幅を有し、  前記第４端部は前記第１配線要素において最大の線幅を有し、  前記平面コイルが前記瓶口上に配置されるとき、前記第１面と対向する平面視において、前記第２端部および前記第４端部は、前記瓶口の内側縁と外側縁との間に位置する  請求項１または２に記載のＩＣタグラベル。
【請求項６】
ＩＣチップと、  第１面に沿って広がる平面コイルを含み、第１端部と第２端部とを有した通信用アンテナ要素であって、前記平面コイルは瓶口上に配置される形状を有し、前記第１端部が前記ＩＣチップに電気的に接続された前記通信用アンテナ要素と、  前記第２端部と前記ＩＣチップとを電気的に接続するブリッジ配線と、  前記第１面と対向する平面視において、前記平面コイルよりも外側に位置する検知要素を含み、前記ＩＣチップに電気的に接続される断線検知回路であって、前記検知要素が瓶首上に配置される形状を有した前記断線検知回路と、を備え、  前記通信用アンテナ要素は前記平面コイルの中央を含む空芯部を有し、  前記ブリッジ配線および前記断線検知回路のいずれか一方が単線を含み、  前記単線は、前記第１面と対向する平面視において、複数の屈曲部を含み、前記空芯部を複数回にわたり横切る折線形状を含み、  前記ブリッジ配線が前記単線を含む場合、前記単線は、第２面における前記第１面と対向する対向領域に位置し、  前記断線検知回路が前記単線を含む場合、前記単線は、前記第１面および前記対向領域のいずれか一方に位置する  ＩＣタグラベル。
【請求項７】
ＩＣチップと、  第１面に沿って広がる平面コイルを含み、第１端部と第２端部とを有した通信用アンテナ要素であって、前記平面コイルは瓶口上に配置される形状を有し、前記第１端部が前記ＩＣチップに電気的に接続された前記通信用アンテナ要素と、  前記第２端部と前記ＩＣチップとを電気的に接続するブリッジ配線と、  前記第１面と対向する平面視において、前記平面コイルよりも外側に位置する検知要素を含み、前記ＩＣチップに電気的に接続される断線検知回路であって、前記検知要素が瓶首上に配置される形状を有した前記断線検知回路と、を備え、  前記通信用アンテナ要素は前記平面コイルの中央を含む空芯部を有し、  前記ブリッジ配線および前記断線検知回路のいずれか一方が単線を含み、  前記単線は、前記第１面と対向する平面視において、前記空芯部と重なる螺旋形状を含み、  前記ブリッジ配線が前記単線を含む場合、前記単線は、第２面における前記第１面と対向する対向領域に位置し、  前記断線検知回路が前記単線を含む場合、前記単線は、前記第１面および前記対向領域のいずれか一方に位置する  ＩＣタグラベル。
【請求項８】
複数の前記屈曲部の少なくとも一部は、前記空芯部よりも外側に位置する  請求項１または６に記載のＩＣタグラベル。
【請求項９】
前記単線は、複数の延設部を含み、各延設部は前記屈曲部によって隣接する延設部と結ばれており、  互いに隣接する２つの前記延設部間の距離と、２つの前記延設部の線幅との合計が、０．２２５ｍｍ以上３ｍｍ以下である  請求項８に記載のＩＣタグラベル。
【請求項１０】
前記検知要素は、第１線状部と第２線状部とを含み、  前記第１面と対向する平面視において、前記第１線状部および前記第２線状部は、前記平面コイルの周方向における別々の部位から前記平面コイルの径方向の外側に向けて延びており、かつ、１つの直線上に位置する  請求項６または７に記載のＩＣタグラベル。
【請求項１１】
前記平面コイルが前記瓶口上に配置されるとき、前記第１面と対向する平面視において、前記平面コイルは、周方向における１／２以上が前記瓶口の外側縁よりも内側に位置する大きさを有する  請求項６または７に記載のＩＣタグラベル。
【請求項１２】
前記平面コイルが前記瓶口上に配置されるとき、前記ＩＣチップは、前記第１面において前記瓶口の外側縁よりも内側に位置し、  前記ブリッジ配線は、前記第１面に位置し、前記ＩＣチップに電気的に接続する第３端部と第４端部とを含む配線要素をさらに含み、  前記第２端部は前記平面コイルにおいて最大の線幅を有し、  前記第４端部は前記配線要素において最大の線幅を有し、  前記平面コイルが前記瓶口上に配置されるとき、前記第１面と対向する平面視において、前記第２端部および前記第４端部は、前記瓶口の内側縁と外側縁との間に位置する  請求項６または７に記載のＩＣタグラベル。
【発明の詳細な説明】
【技術分野】
【０００１】  本発明は、飲料などの液体が保存された瓶に取り付けられるＩＣタグラベルに関する。
【背景技術】
【０００２】  瓶に保存された液体が、その瓶に保存されているべき本物の液体であるか、あるいは、本物の液体とは異なる偽物の液体であるかの判断を可能とするために、ＩＣタグラベルが用いられている。ＩＣタグラベルは、液体を収容する瓶本体と、瓶本体の口を塞ぐ蓋とを備える蓋付瓶において、蓋の側面と、瓶本体の外表面のうち、蓋の側面に繋がる部分である首部の側面とに跨るように貼り付けられている。これにより、ＩＣタグラベルの備えるアンテナが、蓋の側面と首部の側面とに跨る。【０００３】  瓶の蓋が開けられると、蓋と首部との境界に作用する力によってアンテナが破壊される。そのため、ＩＣタグラベルがリーダとの通信を行うことができないことから、瓶の蓋が開けられたことを把握することができる。瓶の蓋が開けられているときには、瓶に保存された液体が本物の液体から偽物の液体にすり替えられた可能性が高い。そのため、ＩＣタグラベルの状態によって、瓶に保存された液体が本物の液体であるか否かを判断することが可能である（例えば、特許文献１参照）。
【先行技術文献】
【特許文献】
【０００４】
【特許文献１】国際公開第２００６／０１６５５９号
【発明の概要】
【発明が解決しようとする課題】
【０００５】  ところで、瓶に保存された液体が本物の液体から偽物の液体にすり替えられるときには、瓶の蓋が開けられることなく、本物の液体が瓶本体から取り出されるとともに、偽物の液体が瓶本体に注入されることもある。このとき、例えば、蓋のうち、瓶本体の瓶口と対向する部分に検出されにくい貫通孔が形成され、貫通孔を通じて液体の出し入れが行われる。この場合、ＩＣタグラベルの状態からは、瓶に保存された液体が本物の液体であるか否かを判断することができない。それゆえに、蓋が開けられることなく瓶に対する液体の出し入れが行われたか否かの判断に用いることが可能なＩＣタグラベルが求められている。  本発明は、蓋が開けられることなく瓶に対する液体の出し入れが行われたか否かの判断に用いることが可能なＩＣタグラベルを提供することを目的とする。
【課題を解決するための手段】
【０００６】  上記課題を解決するためのＩＣタグラベルは、ＩＣチップと、第１面に沿って広がる平面コイルを含み、第１端部と第２端部とを有した通信用アンテナ要素であって、前記平面コイルは瓶口上に配置される形状を有し、前記第１端部が前記ＩＣチップに電気的に接続された前記通信用アンテナ要素と、第２面における前記第１面と対向する対向領域に位置する配線要素を含み、前記第２端部と前記ＩＣチップとを電気的に接続するブリッジ配線と、を備え、前記通信用アンテナ要素は前記平面コイルの中央を含む空芯部を有し、前記配線要素は、前記第１面と対向する平面視において、複数の屈曲部を含み、前記空芯部を複数回にわたり横切る折線形状を含む単線である。【０００７】  上記課題を解決するためのＩＣタグラベルは、ＩＣチップと、第１面に沿って広がる平面コイルを含み、第１端部と第２端部とを有した通信用アンテナ要素であって、前記平面コイルは瓶口上に配置される形状を有し、前記第１端部が前記ＩＣチップに電気的に接続された前記通信用アンテナ要素と、第２面における前記第１面と対向する対向領域に位置する配線要素を含み、前記第２端部と前記ＩＣチップとを電気的に接続するブリッジ配線と、を備え、前記通信用アンテナ要素は前記平面コイルの中央を含む空芯部を有し、前記配線要素は、前記第１面と対向する平面視において、前記空芯部と重なる螺旋形状を含む単線である。【０００８】  上記構成によれば、第１面と対向する平面視において、平面コイルが区画する空芯部には単線が位置する。そのため、瓶口を塞ぐ蓋に針が刺されたときには、単線の一部が針によって断線される可能性が高まる。これにより、ＩＣタグラベルがリーダとの通信を行うことができない状態に変わる。【０００９】  それゆえに、液体を保存する瓶に対して不正な操作、例えば本物の液体と偽物の液体とをすり替える操作が行われたことを、ＩＣタグラベルの状態から把握することができる。つまり、ＩＣタグラベルは、瓶が空けられることなく瓶に対する液体の出し入れが行われたか否かの判断に用いることが可能である。【００１０】  上記ＩＣタグラベルにおいて、前記平面コイルは、前記空芯部を区画する環状部と第１線状部とを含み、前記配線要素は、第２配線要素であり、前記ブリッジ配線は、前記第１面に位置するとともに、前記第２配線要素に電気的に接続する第１配線要素であって、第２線状部を含む前記第１配線要素をさらに含み、前記第１面と対向する平面視において、前記第１線状部および前記第２線状部は、前記環状部の周方向における別々の部位から前記環状部の径方向の外側に向けて延びており、かつ、１つの直線上に位置してもよい。【００１１】  上記構成によれば、平面コイルが瓶口に取り付けられたとき、第１線状部および第２線状部は、瓶首に沿って位置することができ、環状部の周方向において、第１線状部と第２線状部との間の距離が最も大きくなる。そのため、環状部の周方向において、第１線状部の近傍に第２線状部が位置する構成と比べて、瓶首の周方向に対して操作が加えられたときに、第１線状部と第２線状部との両方が断線しない状況を生じにくくすることができる。【００１２】  上記ＩＣタグラベルにおいて、前記平面コイル���、前記空芯部を区画する環状部を含み、前記平面コイルが前記瓶口上に配置されるとき、前記第１面と対向する平面視において、前記環状部は、周方向における１／２以上が前記瓶口の外側縁よりも内側に位置する大きさを有してもよい。【００１３】  上記構成によれば、環状部のほとんどが、瓶口の外側縁よりも外側にはみ出す構成と比べて、ＩＣタグラベルが瓶口に取り付けられるときに、環状部に外力が作用することによって、環状部が変形することが抑えられる。【００１４】  上記ＩＣタグラベルにおいて、前記平面コイルが前記瓶口上に配置されるとき、前記ＩＣチップは、前記第１面において前記瓶口の外側縁よりも内側に位置し、前記配線要素は、第２配線要素であり、前記ブリッジ配線は、前記第１面に位置し、前記ＩＣチップに電気的に接続する第３端部と、前記第２配線要素に電気的に接続する第４端部とを含む第１配線要素をさらに含み、前記第２端部は前記平面コイルにおいて最大の線幅を有し、前記第４端部は前記第１配線要素において最大の線幅を有し、前記平面コイルが前記瓶口上に配置されるとき、前記第１面と対向する平面視において、前記第２端部および前記第４端部は、前記瓶口の内側縁と外側縁との間に位置してもよい。【００１５】  第２端部および第４端部が瓶口の内側縁よりも内側に位置し、かつ、いずれかの端部に針が刺さったときには、平面コイルにおける第２端部以外の部分に針が刺さったとき、または、第１配線要素における第４端部以外の部分に針が刺さったときと比べて、ＩＣチップが通信用アンテナを介した通信ができる状態に保たれる可能性が高まる。この点で、上記構成によれば、第２端部および第４端部が瓶口の内側縁よりも外側に位置するため、蓋に刺された針は、単線に刺さる可能性が高まり、結果として、ＩＣチップが通信用アンテナを通じた通信を行うことができない状態に変わる可能性が高まる。【００１６】  上記課題を解決するためのＩＣタグラベルは、ＩＣチップと、第１面に沿って広がる平面コイルを含み、第１端部と第２端部とを有した通信用アンテナ要素であって、前記平面コイルは瓶口上に配置される形状を有し、前記第１端部が前記ＩＣチップに電気的に接続された前記通信用アンテナ要素と、前記第２端部と前記ＩＣチップとを電気的に接続するブリッジ配線と、前記第１面と対向する平面視において、前記平面コイルよりも外側に位置する検知要素を含み、前記ＩＣチップに電気的に接続される断線検知回路であって、前記検知要素が瓶首上に配置される形状を有した前記断線検知回路と、を備え、前記通信用アンテナ要素は前記平面コイルの中央を含む空芯部を有し、前記ブリッジ配線および前記断線検知回路のいずれか一方が単線を含み、前記単線は、前記第１面と対向する平面視において、複数の屈曲部を含み、前記空芯部を複数回にわたり横切る折線形状を含み、前記ブリッジ配線が前記単線を含む場合、前記単線は、第２面における前記第１面と対向する対向領域に位置し、前記断線検知回路が前記単線を含む場合、前記単線は、前記第１面および前記対向領域のいずれか一方に位置する。【００１７】  上記課題を解決するためのＩＣタグラベルは、ＩＣチップと、第１面に沿って広がる平面コイルを含み、第１端部と第２端部とを有した通信用アンテナ要素であって、前記平面コイルは瓶口上に配置される形状を有し、前記第１端部が前記ＩＣチップに電気的に接続された前記通信用アンテナ要素と、前記第２端部と前記ＩＣチップとを電気的に接続するブリッジ配線と、前記第１面と対向する平面視において、前記平面コイルよりも外側に位置する検知要素を含み、前記ＩＣチップに電気的に接続される断線検知回路であって、前記検知要素が瓶首上に配置される形状を有した前記断線検知回路と、を備え、前記通信用アンテナ要素は前記平面コイルの中央を含む空芯部を有し、前記ブリッジ配線および前記断線検知回路のいずれか一方が単線を含み、前記単線は、前記第１面と対向する平面視において、前記空芯部と重なる螺旋形状を含み、前記ブリッジ配線が前記単線を含む場合、前記単線は、第２面における前記第１面と対向する対向領域に位置し、前記断線検知回路が前記単線を含む場合、前記単線は、前記第１面および前記対向領域のいずれか一方に位置する。【００１８】  上記構成によれば、第１面と対向する平面視において、平面コイルが区画する空芯部には単線が位置する。そのため、瓶口を塞ぐ蓋に針が刺されたときには、単線の一部が針によって断線される可能性が高まる。これにより、ＩＣチップがリーダとの通信を行うことができない状態に変わるか、または、ＩＣチップが断線検知回路の断線を検出する。【００１９】  それゆえに、液体を保存する瓶に対して不正な操作、例えば本物の液体と偽物の液体とをすり替える操作が行われたことを、ＩＣタグラベルの状態から把握することができる。つまり、ＩＣタグラベルは、瓶が開けられることなく瓶に対する液体の出し入れが行われたか否かの判断に用いることが可能である。【００２０】  上記ＩＣタグラベルにおいて、複数の前記屈曲部の少なくとも一部は、前記空芯部よりも外側に位置してもよい。【００２１】  上記構成によれば、単線のうち、空芯部の外側に位置する屈曲部に繋がる部分は、空芯部の縁よりも外側まで延びている。そのため、屈曲部の全てが空芯部の内側に位置する構成と比べて、空芯部において、単線が位置しない領域を小さくすることができる。【００２２】  上記ＩＣタグラベルにおいて、前記単線は、複数の延設部を含み、各延設部は前記屈曲部によって隣接する延設部と結ばれており、互いに隣接する２つの前記延設部間の距離と、２つの前記延設部の線幅との合計が、０．２２５ｍｍ以上３ｍｍ以下であってもよい。【００２３】  上記構成によれば、延設部間の距離と２つの延設部の線幅との合計が、瓶の蓋に刺される針の直径以下になる可能性が高まるため、延設部を断線されやすくすることができる。【００２４】  上記ＩＣタグラベルにおいて、前記検知要素は、第１線状部と第２線状部とを含み、前記第１面と対向する平面視において、前記第１線状部および前記第２線状部は、前記平面コイルの周方向における別々の部位から前記平面コイルの径方向の外側に向けて延びており、かつ、１つの直線上に位置してもよい。【００２５】  上記構成によれば、平面コイルが瓶口に取り付けられたとき、第１線状部および第２線状部は、瓶首に沿って位置することができ、平面コイルの周方向において、第１線状��と第２線状部との間の距離が最も大きくなる。そのため、平面コイルの周方向において、第１線状部の近傍に第２線状部が位置する構成と比べて、瓶首の周方向に対して操作が加えられたときに、第１線状部と第２線状部との両方が断線しない状況を生じにくくすることができる。【００２６】  上記ＩＣタグラベルにおいて、前記平面コイルが前記瓶口上に配置されるとき、前記第１面と対向する平面視において、前記平面コイルは、周方向における１／２以上が前記瓶口の外側縁よりも内側に位置する大きさを有してもよい。【００２７】  上記構成によれば、平面コイルのほとんどが、瓶口の外側縁よりも外側にはみ出す構成と比べて、ＩＣタグラベルが瓶口に取り付けられるときに、平面コイルに外力が作用することによって、平面コイルが変形することが抑えられる。【００２８】  上記ＩＣタグラベルにおいて、前記平面コイルが前記瓶口上に配置されるとき、前記ＩＣチップは、前記第１面において前記瓶口の外側縁よりも内側に位置し、前記ブリッジ配線は、前記第１面に位置し、前記ＩＣチップに電気的に接続する第３端部と第４端部とを含む配線要素をさらに含み、前記第２端部は前記平面コイルにおいて最大の線幅を有し、前記第４端部は前記配線要素において最大の線幅を有し、前記平面コイルが前記瓶口上に配置されるとき、前記第１面と対向する平面視において、前記第２端部および前記第４端部は、前記瓶口の内側縁と外側縁との間に位置してもよい。【００２９】  第２端部および第４端部が瓶口の内側縁よりも内側に位置し、かつ、いずれかの端部に針が刺さったときには、平面コイルにおける第２端部以外の部分に針が刺さったとき、または、配線要素における第４端部以外の部分に針が刺さったときと比べて、ＩＣチップが通信用アンテナを介した通信ができる状態に保たれる可能性が高まる。この点で、上記構成によれば、第２端部および第４端部が瓶口の内側縁よりも外側に位置するため、蓋に刺された針は、単線に刺さる可能性が高まり、結果として、ＩＣチップが通信用アンテナを通じた通信を行うことができない状態に変わる可能性が高まる。
【発明の効果】
【００３０】  本発明によれば、蓋が開けられることなく瓶に対する液体の出し入れが行われたか否かの判断にＩＣタグラベルを用いることができる。
【図面の簡単な説明】
【００３１】
【図１】第１実施形態におけるＩＣタグラベルの構造を示す平面図。
【図２】第１実施形態におけるＩＣタグラベルの構造を概略的に示す断面図。
【図３】第１実施形態における表面パターンの構造を示す平面図。
【図４】第１実施形態における裏面パターンの構造を示す平面図。
【図５】第１実施形態における裏面用導線の構造の一部を拡大して示す部分拡大平面図。
【図６】第１実施形態のＩＣタグラベルがワインボトルに配置された状態を示す斜視図。
【図７】第１実施形態のＩＣタグラベルをボトル本体の瓶口と対向する方向から見た構造を示す平面図。
【図８】比較例のＩＣタグラベルをボトル本体の瓶口と対向する方向から見た構造を示す平面図。
【図９】一変形例における螺旋部の構造を示す平面図。
【図１０】別の変形例における螺旋部の構造を示す平面図。
【図１１】第２実施形態における表面パターンの構造を示す平面図。
【図１２】第２実施形態における裏面パターンの構造を示す平面図。
【図１３】第２実施形態における裏面パターンの一部を拡大して示す部分拡大平面図。
【図１４】第２実施形態のＩＣタグラベルをボトル本体の瓶口と対向する方向から見た構造を示す平面図。
【図１５】第３実施形態におけるＩＣタグラベルが備える裏面パターンの構造を示す平面図。
【図１６】第４実施形態のＩＣタグラベルが適用される瓶の構造をＩＣタグラベルとともに示す断面図。
【図１７】瓶に装着されるカプセルの構造を示す斜視図。
【図１８】第４実施形態のＩＣタグラベルの構造を示す断面図。
【発明を実施するための形態】
【００３２】  ［第１実施形態］  図１から図８を参照して、ＩＣタグラベルを具体化した第１実施形態を説明する。第１実施形態では、ＩＣタグラベルがワインボトルに取り付けられる例を説明する。また、以下では、ＩＣタグラベルの全体構成、表面パターンの構成、裏面パターンの構成、ＩＣタグラベルの作用、および、実施例を順番に説明する。
【００３３】  ［ＩＣタグラベルの全体構成］  図１および図２を参照してＩＣタグラベルの全体構成を説明する。  図１が示すように、ＩＣタグラベル１０は、表面と裏面とを含む基材１１、表面に位置するＩＣチップ１２、ＩＣチップ１２に接続する通信用アンテナ１３を備えている。
【００３４】  基材１１は１つの方向に沿って延び、基材１１が広がる平面と対向する平面視において、通信用アンテナ１３よりも外側にはみ出す大きさを有している。基材１１は複数のスリット１１ａを有している。各スリット１１ａは、通信用アンテナ１３よりも外側に位置し、かつ、基材１１の縁から内側に向けて延びている。各スリット１１ａは、基材１１に形成された切れ込みであり、基材１１を厚さ方向において貫通してもよいし、貫通していなくてもよい。基材１１は、例えばＰＥＴなどの各種の樹脂から形成される。
【００３５】  ＩＣチップ１２は、通信用アンテナ１３を用いた通信が可能である。ＩＣチップ１２は、所定の通信方式を用いて、例えばＩＣチップ１２用のリーダとの通信を行う。なお、ＩＣチップ１２は、基材１１の裏面に位置してもよい。
【００３６】  ＩＣタグラベル１０は、第１部分１０ａ、第２部分１０ｂ、および、第３部分１０ｃから構成されている。基材１１が広がる平面と対向する平面視において、第１部分１０ａは略円形状を有し、第２部分１０ｂおよび第３部分１０ｃはそれぞれ、第１部分１０ａよりも外側において、第１部分１０ａの径方向に沿って延びる直線状を有している。１つの方向において、第１部分１０ａは、第２部分１０ｂと第３部分１０ｃとに挟まれている。
【００３７】  ＩＣタグラベル１０がワインボトルに取り付けられるとき、第１部分１０ａは、ワインボトルの瓶口に配置される。第２部分１０ｂおよび第３部分１０ｃの各々は、瓶首に配置される。
【００３８】  図２が示すように、基材１１において、表面１１Ｆと裏面１１Ｒとは互いに対向している。基材１１の表面１１Ｆには、通信用アンテナ１３を構成する表面パターン２１が位置している。基材１１の裏面１１Ｒには、通信用アンテナ１３をＩＣチップ１２に繋ぐブリッジ配線の一部である裏面パターン２２が位置している。
【００３９】  表面パターン２１は表面用導線から形成され、裏面パターン２２は裏面用導線から形成されている。表面用導線および裏面用導線の各々は、例えばアルミニウムなどの金属から形成されている。なお、表面用導線および裏面用導線の各々は、金属で形成されたワイヤーと、ワイヤーを覆う絶縁性の被覆層とから構成されてもよい。
【００４０】  ［表面パターンの構成］  図３を参照して表面パターン２１の構成を説明する。  図３が示すように、表面パターン２１は、第１表面パターン３１および第２表面パターン３２から構成されている。各パターンは、１本の導線である単線から形成されている。
【００４１】  第１表面パターン３１は、表面１１Ｆに沿って広がる平面コイルを含み、第１コイル端部３１ａと、第２コイル端部３１ｂとを有している。表面１１Ｆは第１面の一例であり、第１表面パターン３１は、第１の通信用アンテナ要素の一例である。第１コイル端部３１ａは第１端部の一例であり、第２コイル端部３１ｂは第２端部の一例である。第１表面パターン３１は瓶口上に配置される形状を有し、第１コイル端部３１ａがＩＣチップ１２に電気的に接続されている。
【００４２】  第１表面パターン３１は、環状部３１ｃをさらに含んでいる。環状部３１ｃは、表面１１Ｆに沿って複数回回る螺旋状を有している。言い換えれば、環状部３１ｃは、２次元平面に沿う渦巻状を有している。環状部３１ｃは、平面コイルの中央を含む空芯部３１ｄを区画している。空芯部３１ｄは、表面パターン２１を形成する単線が位置しない領域である。
【００４３】  第１表面パターン３１はさらに、第１線状部３１ｅを含んでいる。表面１１Ｆと対向する平面視において、第１線状部３１ｅは、環状部３１ｃよりも外側において環状部３１ｃの径方向に沿って延びる直線状を有している。第１線状部３１ｅは、環状部３１ｃの途中に位置している。
【００４４】  第２表面パターン３２は、ブリッジ配線の一部である第１配線要素の一例である。ブリッジ配線は、第２コイル端部３１ｂをＩＣチップ１２に電気的に接続する配線である。第２表面パターン３２は、第１表面配線端部３２ａと、第２表面配線端部３２ｂとを有している。第１表面配線端部３２ａは第３端部の一例であり、第２表面配線端部３２ｂは第４端部の一例である。第１表面配線端部３２ａはＩＣチップ１２に電気的に接続され、第２表面配線端部３２ｂは、ブリッジ配線のなかで、裏面１１Ｒに位置する部分に接続されている。
【００４５】  第２表面パターン３２はさらに、弧状部３２ｃと第２線状部３２ｄとを含んでいる。弧状部３２ｃは、第１表面パターン３１の外周の一部に沿う線状を有している。第２線状部３２ｄは、表面１１Ｆと対向する平面視において、第１表面パターン３１の環状部３１ｃよりも外側において環状部３１ｃの径方向に沿って延びる直線状を有している。
【００４６】  また、第１線状部３１ｅおよび第２線状部３２ｄは、基材１１の表面１１Ｆと対向する平面視において、環状部３１ｃの周方向における別々の部位から、環状部３１ｃの径方向の外側に向けて延びており、かつ、環状部３１ｃの径方向に沿って延びる１つの直線上に位置している。
【００４７】  表面パターン２１において、第２コイル端部３１ｂ、および、第２表面配線端部３２ｂの各々における線幅は、表面パターン２１におけるこれら端部以外の部分における線幅よりも大きい。すなわち、第２コイル端部３１ｂおよび第２表面配線端部３２ｂは、表面パターン２１において最大の線幅を有する。
【００４８】  なお、第１表面パターン３１における第１コイル端部３１ａ、第２コイル端部３１ｂ、および、環状部３１ｃと、第２表面パターン３２における第１表面配線端部３２ａ、第２表面配線端部３２ｂ、および、弧状部３２ｃとは、ＩＣタグラベル１０の第１部分１０ａに含まれている。第１表面パターン３１における第１線状部３１ｅは、ＩＣタグラベル１０の第３部分１０ｃに含まれ、第２表面パターン３２における第２線状部３２ｄは、ＩＣタグラベル１０の第２部分１０ｂに含まれている。
【００４９】  ［裏面パターンの構成］  図４および図５を参照して裏面パターンの構成を説明する。  図４が示すように、裏面パターン２２はブリッジ配線に含まれるパターンであり、裏面１１Ｒにおける表面１１Ｆと対向する対向領域に位置する第２配線要素の一例である。対向領域は、表面１１Ｆのなかで第１表面パターン３１の環状部３１ｃが位置する領域である。
【００５０】  裏面パターン２２は、第１裏面配線端部２２ａと第２裏面配線端部２２ｂとを有している。第１裏面配線端部２２ａは、第２コイル端部３１ｂに電気的に接続され、第２裏面配線端部２２ｂは、第２表面配線端部３２ｂに電気的に接続されている。基材１１の厚さ方向から見て、第１裏面配線端部２２ａは第２コイル端部３１ｂと重なり、第２裏面配線端部２２ｂは第２表面配線端部３２ｂと重なっている。
【００５１】  例えば、基材１１のうち、基材１１の厚さ方向において、第１裏面配線端部２２ａと第２コイル端部３１ｂとに挟まれる部分には、貫通孔が位置している。貫通孔の内部に埋め込まれた配線によって、第１裏面配線端部２２ａと第２コイル端部３１ｂとが電気的に接続されている。基材１１のうち、基材１１の厚さ方向において、第２裏面配線端部２２ｂと第２表面配線端部３２ｂとに挟まれる部分には、貫通孔が位置している。貫通孔の内部に埋め込まれた配線によって、第２裏面配線端部２２ｂが第２表面配線端部３２ｂに電気的に接続されている。
【００５２】  なお、第１裏面配線端部２２ａと第２コイル端部３１ｂとは、互いにかしめられることによって電気的に接続されてもよい。また、第２裏面配線端部２２ｂと第２表面配線端部３２ｂとは、互いにかしめられることによって電気的に接続されてもよい。
【００５３】  裏面パターン２２はさらに、環状部２２ｃと折線部２２ｄとを含んでいる。環状部２２ｃは、基材１１の表面１１Ｆと対向する平面視において、裏面１１Ｒに沿って複数回回る螺旋状を有し、第１表面パターン３１の環状部３１ｃに重なっている。裏面パターン２２の環状部２２ｃにおける外縁は、第１表面パターン３１の環状部３１ｃにおける外縁とほぼ等しい大きさを有している。環状部２２ｃは、裏面１１Ｒに位置する平面コイルであり、通信用アンテナ１３を機能させるための第２の通信用アンテナ要素である。
【００５４】  折線部２２ｄは、環状部２２ｃが区画する領域の内部に位置している。折線部２２ｄは、基材１１の表面１１Ｆと対向する平面視において、空芯部３１ｄを複数回にわたり横切る折線形状を含む単線である。
【００５５】  より詳しくは、折線部２２ｄは、複数の屈曲部２２ｄ１を有したつづら折り状、言い換えればメアンダ状を有する折線形状を含んでいる。基材１１の表面１１Ｆと対向する平面視において、複数の屈曲部２２ｄ１の一部は、空芯部３１ｄよりも外側に位置している。
【００５６】  折線部２２ｄにおいて、１つの屈曲部２２ｄ１と他の屈曲部２２ｄ１とを結ぶ部分が延設部２２ｄ２であり、折線部２２ｄは、複数の延設部２２ｄ２を含んでいる。各延設部２２ｄ２は、１つの方向に沿って延びる直線状を有し、延設部２２ｄ２が延びる方向と直交する方向に沿って、所定の間隔をあけて並んでいる。すなわち、複数の延設部２２ｄ２は、所定の間隔をあけて互いに略平行に並んでいる。
【００５７】  図５が示すように、延設部２２ｄ２が並ぶ方向において、互いに隣接する２つの延設部２２ｄ２間の距離が第１距離Ｄ１である。第１距離Ｄ１と、２つの延設部２２ｄ２の線幅Ｗの合計が第２距離Ｄ２である。第２距離Ｄ２は、例えば０．２２５ｍｍ以上３ｍｍ以下であることが好ましい。
【００５８】  ここで、ワインボトルに保存されたワインを本物のワインから偽物のワインにすり替えるとき、筒状を有した針Ｎをコルク栓に刺し、針Ｎを介して本物のワインをワインボトルから取り出し、かつ、偽物のワインをワインボトルに注入することがある。こうした針Ｎがコルク栓に刺さったときに、単線に含まれる折線部２２ｄを断線させる確実性を高める上では、上述した第２距離Ｄ２は、針Ｎの直径Ｄｉａ以下であることが好ましい。
【００５９】  この点で、第２距離Ｄ２が０．２２５ｍｍ以上３ｍｍ以下であれば、第２距離Ｄ２が針Ｎの直径Ｄｉａ以下になる可能性が高まるため、折線部２２ｄを断線させやすくすることができる。
【００６０】  各延設部２２ｄ２の線幅Ｗは、全ての延設部２２ｄ２において一定の値でなくてもよく、また、第１距離Ｄ１は、互いに隣接する延設部２２ｄ２間の全てにおいて一定の値でなくてもよい。この場合であっても、第２距離Ｄ２が、上述した範囲に含まれていればよい。
【００６１】  なお、ブリッジ配線は、裏面パターン２２、第２表面パターン３２、第２コイル端部３１ｂを第１裏面配線端部２２ａに繋ぐ配線、および、第２裏面配線端部２２ｂを第２表面配線端部３２ｂに繋ぐ配線によって構成されている。第１表面パターン３１の第２コイル端部３１ｂは、こうしたブリッジ配線によってＩＣチップ１２に電気的に接続されている。
【００６２】  裏面パターン２２において、第１裏面配線端部２２ａ、折線部２２ｄ、環状部２２ｃ、および、第２裏面配線端部２２ｂがこの順に接続されている。なお、裏面パターン２２の全体が、ＩＣタグラベル１０の第１部分１０ａに含まれている。
【００６３】  ［ＩＣタグラベルの作用］  図６から図８を参照してＩＣタグラベル１０の作用を説明する。以下では、ＩＣタグラベル１０の作用の説明に先立ち、ワインボトルに対するＩＣタグラベル１０の取付方法を説明する。
【００６４】  図６が示すように、ワインボトル４０はボトル本体４１を備え、ボトル本体４１は、瓶首の一例である首部４１ａ、肩部４１ｂ、および、胴部４１ｃから構成されている。首部４１ａは円筒状を有し、首部４１ａにおける肩部４１ｂとは反対側の端部が、ボトル本体４１の瓶口４１ａ１である。首部４１ａの直径は胴部４１ｃの直径よりも小さい。肩部４１ｂの直径は、首部４１ａから胴部４１ｃに向かう方向に沿って次第に大きくなる。
【００６５】  首部４１ａの内部には、ボトル本体４１の瓶口４１ａ１を塞ぐコルク栓４２が位置している。ワインボトル４０は、首部４１ａの外周面と、瓶口４１ａ１とを覆うカプセル４３をさらに備えている。ワインボトル４０では、コルク栓４２とカプセル４３とが、ボトル本体４１の瓶口４１ａ１を塞ぐ蓋を構成している。
【００６６】  上述したように、ＩＣタグラベル１０の第１部分１０ａは瓶口４１ａ１に配置され、第２部分１０ｂおよび第３部分１０ｃは、首部４１ａの外周面に配置される。このとき、第１部分１０ａに含まれる第１表面パターン３１に対して、第２部分１０ｂに含まれる第２線状部３２ｄ、および、第３部分１０ｃに含まれる第１線状部３１ｅは、環状部３１ｃの径方向に沿って環状部３１ｃから外側に向けて延びている。そのため、第１表面パターン３１が瓶口４１ａ１に配置されたとき、第１線状部３１ｅおよび第２線状部３２ｄは、首部４１ａの外周面に沿って位置することができる。
【００６７】  ＩＣタグラベル１０がワインボトル４０に取り付けられるときには、ＩＣタグラベル１０がワインボトル４０の首部４１ａに配置された後に、カプセル４３が首部４１ａに被せられてもよい。または、ＩＣタグラベル１０がワインボトル４０に配置されるときには、ＩＣタグラベル１０は、カプセル４３のうち、ボトル本体４１と接する面に貼り付けられた後に、カプセル４３とともに首部４１ａに配置されてもよい。
【００６８】  ＩＣタグラベル１０がカプセル４３よりも先に首部４１ａに取り付けられるときには、基材１１の裏面１１Ｒに接着層を形成し、接着層によってＩＣタグラベル１０を首部４１ａに貼り付ければよい。一方で、ＩＣタグラベル１０が首部４１ａよりも先にカプセル４３に取り付けられるときには、基材１１の表面１１Ｆに接着層を形成し、接着層によってＩＣタグラベル１０をカプセル４３に貼り付ければよい。
【００６９】  ボトル本体４１が延びる方向において、首部４１ａの外周面に沿って延びる第２部分１０ｂの長さＬ１は、カプセル４３の長さＬ２よりも短い。これにより、ＩＣタグラベル１０の全体が、カプセル４３によって覆われる。
【００７０】  ワインボトル４０が開けられるときには、通常、首部４１ａを覆うカプセル４３が破られた後に、首部４１ａ内に位置するコルク栓４２が首部４１ａから抜かれる。そのため、ワインボトル４０が開けられたときには、第１線状部３１ｅおよび第２線状部３２ｄの少なくとも一方が断線する確率が高い。
【００７１】  しかも、第１線状部３１ｅと第２線状部３２ｄとが１つの直線上に位置するため、環状部３１ｃの周方向において、第１線状部３１ｅと第２線状部３２ｄとの間の距離が最も大きくなる。それゆえに、環状部３１ｃの周方向において、第１線状部の近傍に第２線状部が位置する構成と比べて、首部４１ａの周方向に対して操作が加えられたときに、第１線状部３１ｅと第２線状部３２ｄとの両方が断線しない状況を生じにくくすることができる。
【００７２】  これに対して、環状部の周方向において、第１線状部の近傍に第２線状部が位置する構成では、カプセル４３が破られるときに、環状部のうち、第１線状部と第２線状部とが位置する部分とは異なる部分のみが破られると、第１線状部および第２線状部が断線しない。
【００７３】  このように、ＩＣタグラベル１０によれば、第１線状部３１ｅおよび第２線状部３２ｄが首部４１ａの外周面に沿って位置するため、カプセル４３が破られることによって、通信用アンテナ１３が断線しやすい。これにより、ＩＣチップ１２が、リーダとの通信を行うことができない状態になりやすい。そのため、カプセル４３が破られたこと、ひいてはワインボトル４０が開けられた可能性が高いことをＩＣタグラベル１０の状態から把握することができる。
【００７４】  図７は、ＩＣタグラベル１０が瓶口４１ａ１に取り付けられた状態において、表面１１Ｆと対向する平面視におけるＩＣタグラベル１０の平面構造を示している。図７では、図示の便宜上、ＩＣタグラベル１０のうち、第１表面パターン３１、第２表面パターン３２、および、裏面パターン２２のうち、第１表面パターン３１が区画する空芯部３１ｄと重なる部分のみを示している。
【００７５】  図７が示すように、瓶口４１ａ１と対向する平面視において、瓶口４１ａ１は円環状を有し、外側縁４１ａｏと内側縁４１ａｉとを有している。瓶口４１ａ１と対向する平面視において、第１表面パターン３１が区画する空芯部３１ｄには、折線部２２ｄが位置し、こうした空芯部３１ｄが、コルク栓４２と重なるように配置される。そのため、ワインボトル４０のコルク栓４２に上述した針Ｎが刺されたときには、ブリッジ配線の一部である折線部２２ｄが針Ｎによって断線される可能性が高まる。これにより、ＩＣチップ１２は、リーダとの通信を行うことができない状態に変わる可能性が高まる。
【００７６】  それゆえに、ワインボトル４０に対して不正な操作、例えば上述したような本物のワインと偽物のワインとをすり替える操作が行われたことを、ＩＣタグラベル１０の状態から把握することができる。つまり、ＩＣタグラベル１０は、ワインボトル４０が開けられることなくワインボトル４０に対するワインの出し入れが行われたか否かの判断に用いることが可能である。
【００７７】  なお、ＩＣタグラベル１０によれば、ＩＣタグラベル１０の状態を変えることなくワインボトル４０に対してワインを出し入れすることが難しいため、ワインボトル４０に対してＩＣタグラベル１０を配置することによって、本物のワインと偽物のワインとをすり替えることを抑止することが可能でもある。
【００７８】  また、折線部２２ｄがつづら折り状を含むため、第１表面パターン３１をＩＣチップ１２に電気的に接続するためのブリッジ配線として直線以外の所定の形状を有するパターンを用いても、通信用アンテナ１３を用いたＩＣチップ１２の通信に、折線部２２ｄが影響を与えることが抑えられる。
【００７９】  基材１１の表面１１Ｆと対向する平面視において、折線部２２ｄに含まれる複数の屈曲部２２ｄ１のうち、少なくとも一部の屈曲部２２ｄ１が、空芯部３１ｄよりも外側に位置している。そのため、空芯部３１ｄよりも外側に位置する屈曲部２２ｄ１に繋がる延設部２２ｄ２は、空芯部３１ｄの縁よりも外側まで延びている。それゆえに、屈曲部２２ｄ１の全てが空芯部３１ｄ内に位置する場合と比べて、空芯部３１ｄにおいて、折線部２２ｄが位置しない領域を小さくすることができる。
【００８０】  基材１１の表面１１Ｆと対向する平面視において、言い換えれば瓶口４１ａ１と対向する平面視において、環状部３１ｃは、周方向における１／２以上が瓶口４１ａ１の外側縁４１ａｏよりも内側に位置する大きさを有している。しかも、瓶口４１ａ１と対向する平面視において、環状部３１ｃのうち、第２コイル端部３１ｂよりも外側に位置する部分以外の部分が、瓶口４１ａ１の外側縁４１ａｏよりも内側に位置している。
【００８１】  そのため、第１表面パターン３１のほとんどが、瓶口４１ａ１の外側縁４１ａｏよりも外側にはみ出す構成と比べて、ＩＣタグラベル１０およびカプセル４３が瓶口４１ａ１に取り付けられるときに、第１表面パターン３１に作用する外力が第１表面パターン３１を変形させることが抑えられる。ひいては、第１表面パターン３１が破壊されることが抑えられる。
【００８２】  また、上述したように、表面１１Ｆと対向する平面視において、第２コイル端部３１ｂおよび第２表面配線端部３２ｂは、瓶口４１ａ１の内側縁４１ａｉよりも外側、かつ、瓶口４１ａ１の外側縁４１ａｏよりも内側に位置している。すなわち、第２コイル端部３１ｂおよび第２表面配線端部３２ｂは、内側縁４１ａｉと外側縁４１ａｏとの間に位置している。第２コイル端部３１ｂの線幅は、第１表面パターン３１における第２コイル端部３１ｂ以外の部分よりも大きく、第２表面配線端部３２ｂの線幅は、第２表面パターン３２における第２表面配線端部３２ｂ以外の部分よりも大きい。
【００８３】  ここで、第２コイル端部３１ｂおよび第２表面配線端部３２ｂが瓶口４１ａ１の内側縁４１ａｉよりも内側に位置し、かつ、いずれかの端部に針Ｎが刺さったときには、表面パターン２１における他の部分に針Ｎが刺さったときと比べて、表面パターン２１が断線しない可能性が高まる。
【００８４】  この点で、第２コイル端部３１ｂおよび第２表面配線端部３２ｂが瓶口４１ａ１の内側縁４１ａｉよりも外側に位置する構成によれば、コルク栓４２に刺された針Ｎは、折線部２２ｄに刺さる可能性が高まり、結果として、ＩＣチップ１２が通信用アンテナ１３を通じた通信を行うことができない状態に変わる可能性が高まる。
【００８５】  また、第２コイル端部３１ｂおよび第２表面配線端部３２ｂが瓶口４１ａ１の外側縁４１ａｏよりも内側に位置するため、ＩＣタグラベル１０およびカプセル４３が瓶口４１ａ１に取り付けられるときに、第２コイル端部３１ｂおよび第２表面配線端部３２ｂに作用する外力がこれら端部を変形させることが抑えられる。ひいては、第２コイル端部３１ｂおよび第２表面配線端部３２ｂが破壊されることが抑えられる。
【００８６】  ＩＣチップ１２は、瓶口４１ａ１の外側縁４１ａｏよりも内側に位置し、ＩＣチップ１２はさらに、瓶口４１ａ１の内側縁４１ａｉよりも内側に位置している。そのため、ＩＣタグラベル１０およびカプセル４３が瓶口４１ａ１に取り付けられるときに、ＩＣチップ１２に作用する外力がＩＣチップ１２を破壊することが抑えられる。
【００８７】  これに対して、図８が示すように、基材１１の表面１１Ｆと対向する平面視において、ブリッジ配線が、第２コイル端部３１ｂから第２表面配線端部３２ｂに向けて延びる帯状を有する構成では、環状部３１ｃが区画する空芯部３１ｄは、折線部の位置しない隙間である。そのため、コルク栓４２に針Ｎが刺されたときには、通信用アンテナをＩＣチップ１２に接続するためのブリッジ配線が針Ｎによって断線されない可能性が高い。それゆえに、ＩＣタグラベルの状態によって、ワインボトルに対してワインの出し入れが行われたか否かを把握することが難しい。
【００８８】  ［実施例１］  ３８μｍの厚さを有したＰＥＴフィルムである基材と、ＩＣチップ（ＮＸＰ社製、Mifare UltralightC）（Ｍｉｆａｒｅは登録商標）とを準備した。基材の表面と裏面とに３０μｍの厚さを有するアルミニウム膜を形成した後、アルミニウム膜をエッチングすることによって、表面パターンと裏面パターンとを形成した。このとき、表面パターンにおける各端部以外の部分の線幅を０．３ｍｍとし、裏面パターンにおける各端部以外の部分の線幅を０．３ｍｍとした。これにより、通信用アンテナを形成した。
【００８９】  導電性接着剤を用いて表面パターンにＩＣチップを実装した。次いで、基材を所定の形状に成形した後、基材の縁にスリットを形成した。これにより、実施例１のＩＣタグラベルを得た。
【００９０】  実施例１のＩＣタグラベルのうち、第１表面パターンが区画する空芯部がワインボトルのコルク栓に重なるように、ＩＣタグラベルをワインボトルに貼り付けた後、ワインボトルの瓶口にカプセルを取り付けた。
【００９１】  ワインボトルのコルク栓に針を刺した後に、コルク栓から針を抜いた。そして、ＩＣタグラベルにリーダをかざしたところ、ＩＣチップがリーダとの通信を行うことができないことが認められた。すなわち、実施例１のＩＣタグラベルによれば、コルク栓に針が刺されたときに、表面と対向する平面視において空芯部に重なる折線部の一部が切断されることによって、通信用アンテナが機能しない状態になることが認められた。
【００９２】  以上説明したように、ＩＣタグラベルを具体化した第１実施形態によれば、以下に列挙する効果を得ることができる。  （１）表面１１Ｆと対向する平面視において、環状部３１ｃが区画する空芯部３１ｄには折線部２２ｄが位置する。そのため、瓶口４１ａ１を塞ぐ蓋に針Ｎが刺されたときには、折線部２２ｄの一部が針Ｎによって断線される可能性が高まる。これにより、ＩＣチップ１２がリーダとの通信を行うことができない状態に変わる。それゆえに、ワインボトル４０に対して不正な操作、例えば本物のワインと偽物のワインとをすり替える操作が行われたことを、ＩＣタグラベル１０の状態から把握することができる。つまり、ＩＣタグラベル１０は、ワインボトル４０が開けられることなくワインボトル４０に対するワインの出し入れが行われたか否かの判断に用いることが可能である。
【００９３】  （２）延設部２２ｄ２のうち、空芯部３１ｄよりも外側に位置する屈曲部２２ｄ１に繋がる部分は、空芯部３１ｄの縁よりも外側まで延びている。それゆえに、屈曲部２２ｄ１の全てが空芯部３１ｄ内に位置する構成と比べて、空芯部３１ｄにおいて、折線部２２ｄが位置しない領域を小さくすることができる。
【００９４】  （３）延設部２２ｄ２間の距離と２つの延設部２２ｄ２の線幅Ｗとの合計が、ワインボトル４０の蓋に刺される針Ｎの直径Ｄｉａ以下になる可能性が高まるため、折線部２２ｄを断線されやすくすることができる。
【００９５】  （４）第１表面パターン３１が瓶口４１ａ１に取り付けられるとき、第１線状部３１ｅおよび第２線状部３２ｄが首部４１ａに沿って位置することができ、環状部３１ｃの周方向において、第１線状部３１ｅと第２線状部３２ｄとの間の距離が最も大きくなる。そのため、環状部３１ｃの周方向において、第１線状部の近傍に第２線状部が位置する構成と比べて、首部４１ａの周方向に対して操作が加えられたときに、第１線状部３１ｅと第２線状部３２ｄとの両方が断線しない状況を生じにくくすることができる。
【００９６】  （５）第１表面パターン３１のほとんどが、瓶口４１ａ１の外側縁４１ａｏよりも外側にはみ出す構成と比べて、ＩＣタグラベル１０およびカプセル４３が瓶口４１ａ１に取り付けられるときに、第１表面パターン３１に作用する外力が、第１表面パターン３１を変形させることが抑えられる。ひいては、第１表面パターン３１が破壊されることが抑えられる。
【００９７】  （６）第２コイル端部３１ｂおよび第２表面配線端部３２ｂが瓶口４１ａ１の内側縁４１ａｉよりも外側に位置するため、カプセル４３およびコルク栓４２に刺された針Ｎは、折線部２２ｄに刺さる可能性が高まる。それゆえに、ＩＣチップ１２が通信用アンテナ１３を通じた通信を行うことができない状態に変わる可能性が高まる。
【００９８】  ［第１実施形態の変形例］  上述した第１実施形態は、以下のように適宜変更して実施することができる。  ・ＩＣタグラベル１０がワインボトル４０に配置されるとき、ＩＣチップ１２は、瓶口４１ａ１における外側縁４１ａｏよりも外側に位置してもよい。こうした構成であっても、基材１１の表面１１Ｆと対向する平面視において、裏面パターン２２が、空芯部３１ｄに重なる折線部２２ｄを有する以上は、上述した（１）と同等の効果を得ることはできる。
【００９９】  ・第２コイル端部３１ｂおよび第２表面配線端部３２ｂの少なくとも一方は、瓶口４１ａ１において、瓶口４１ａ１の外側縁４１ａｏよりも外側に位置してもよいし、瓶口４１ａ１の内側縁４１ａｉよりも内側に位置してもよい。第２コイル端部３１ｂおよび第２表面配線端部３２ｂの少なくとも一方が、瓶口４１ａ１のうち、上述したいずれかの位置に配置されたとしても、裏面パターン２２が、表面１１Ｆと対向する平面視において空芯部３１ｄに重なる折線部２２ｄを有する以上は、上述した（１）と同等の効果を得ることはできる。
【０１００】  ・環状部３１ｃのうち、周方向における１／２未満のみが、瓶口４１ａ１の外側縁４１ａｏよりも内側に位置してもよい。こうした構成であっても、裏面パターン２２が、表面１１Ｆと対向する平面視において空芯部３１ｄに重なる折線部２２ｄを有する以上は、上述した（１）と同等の効果を得ることはできる。
【０１０１】  ・第１線状部３１ｅおよび第２線状部３２ｄは、環状部３１ｃの径方向に沿って延びる一方で、互いに異なる直線上に位置してもよい。こうした構成であっても、各線状部が環状部３１ｃの径方向に沿って延びるため、第１表面パターン３１が瓶口４１ａ１に配置されたとき、第１線状部３１ｅと第２線状部３２ｄとを首部４１ａの外周面に配置することができる。
【０１０２】  ・第１線状部３１ｅおよび第２線状部３２ｄは、環状部３１ｃの径方向とは異なる方向に延びる直線状を有してもよい。こうした構成であっても、各線状部が環状部３１ｃよりも外側に位置する構成であれば、第１線状部３１ｅおよび第２線状部３２ｄが首部４１ａに位置しやすくはなる。
【０１０３】  ・表面パターン２１は第１線状部３１ｅおよび第２線状部３２ｄのいずれか一方のみを含んでもよい。こうした構成であっても、１つの線状部が断線することによって、ＩＣチップ１２が通信用アンテナ１３を通じた通信を行うことができない状態にはなる。
【０１０４】  ・裏面パターン２２が、表面１１Ｆと対向する平面視において、裏面パターン２２の環状部２２ｃよりも外側に、環状部２２ｃの径方向に沿って延びる直線状を有した線状部を備えてもよい。こうした線状部は、表面パターン２１が備える線状部と同等の機能を発現することができる。または、表面パターン２１および裏面パターン２２の両方が、少なくとも１つの線状部を備えてもよい。あるいは、裏面パターン２２が線状部を備える一方で、表面パターン２１が線状部を備えていなくてもよい。
【０１０５】  ・第２距離Ｄ２は、０．２２５ｍｍよりも小さくてもよいし、３ｍｍよりも大きくてもよい。こうした構成であっても、裏面パターン２２が折線部を含んでいれば、上述した（１）と同等の効果を得ることはできる。
【０１０６】  ・裏面パターン２２において、複数の屈曲部の全てが空芯部３１ｄの内部に位置してもよい。こうした構成であっても、裏面パターン２２が、表面１１Ｆと対向する平面視において空芯部３１ｄと重なる折線部を含んでいれば、上述した（１）と同等の効果を得ることはできる。
【０１０７】  ・折線部が備える複数の延設部は、１つの方向に沿って延び、かつ、直線状ではなく折線状、波線状、および、つづら折り状、言い換えればメアンダ状を有してもよい。  ・第１線状部３１ｅと第２線状部３２ｄとが、各線状部が延びる方向に沿って複数の屈曲部が並ぶつづら折り状、言い換えればメアンダ状を有してもよい。
【０１０８】  ・ブリッジ配線は、第１表面パターン３１の第２コイル端部３１ｂをＩＣチップ１２に接続することが可能であり、かつ、配線要素を含んでいれば、第２表面パターン３２を有していなくてもよい。例えば、ブリッジ配線は、裏面１１Ｒに位置するパターンと、表面１１Ｆと裏面１１Ｒとの間を貫通する配線であって、裏面１１Ｒに位置するパターンをＩＣチップ１２に接続する配線とから構成されてもよい。
【０１０９】  ・基材１１は、表面１１Ｆと裏面１１Ｒとを有する単層構造に限らず、複数の層が積層された多層構造を有してもよい。こうした構成では、複数の層のなかで、第１の層の表面が第１面であり、第２の層の表面および裏面のいずれかが第２面であればよい。ただし、第１面と第２面とは互いに隣接していない面である。
【０１１０】  ・配線要素を構成する単線は、上述した折線形状を含む構成に限らず、表面１１Ｆと対向する平面視において、第１表面パターン３１が区画する空芯部３１ｄと重なる螺旋形状を含む構成であってもよい。
【０１１１】  すなわち、図９が示すように、螺旋部５１は、基材１１の表面１１Ｆと対向する平面視において、基材１１の裏面１１Ｒに沿って広がる螺旋形状を含んでいる。言い換えれば、螺旋部５１は、基材１１の裏面１１Ｒに沿って広がる渦巻形状を含んでいる。螺旋部５１は、第１部分５１ａおよび第２部分５１ｂから構成されている。第１部分５１ａは、第１の回転方向に沿って回る螺旋形状を有する部分であり、第２部分５１ｂは、第１の回転方向とは逆の回転方向である第２の回転方向に沿って回る螺旋形状を有する部分である。螺旋部５１のうち、第１部分５１ａが有する端部は、第１裏面配線端部２２ａに接続し、第２部分５１ｂが有する端部は、環状部２２ｃに接続している。こうした構成においても、上述した（１）と同等の効果を得ることができる。
【０１１２】  ・配線要素を構成する単線が螺旋形状を含む構成は、以下のような構成とすることもできる。  すなわち、図１０が示すように、螺旋部５２は、基材１１の表面１１Ｆと対向する平面視において、基材１１の裏面１１Ｒに沿って広がる螺旋形状を含む第１要素５２ａと第２要素５２ｂとを備えてもよい。言い換えれば、螺旋部５２は、基材１１の裏面１１Ｒに沿って広がる渦巻形状を含む第１要素５２ａと第２要素５２ｂとを備えてもよい。第１要素５２ａおよび第２要素５２ｂの各々は、図９を用いて先に説明した螺旋部５１と同等の構成である。すなわち、第１要素５２ａは、第１部分５２ａ１および第２部分５２ａ２を備え、第２要素５２ｂは、第１部分５２ｂ１および第２部分５２ｂ２を備えている。螺旋部５２のうち、第１要素５２ａの第１部分５２ａ１が有する端部は、第１裏面配線端部２２ａに接続し、第２要素５２ｂの第２部分５２ｂ２が有する端部は、環状部２２ｃに接続している。こうした構成においても、上述した（１）と同等の効果を得ることができる。
【０１１３】  ・表面１１Ｆに位置する通信用アンテナ要素が、通信用アンテナ１３としての機能を有してもよい。言い換えれば、裏面１１Ｒには、通信用アンテナ１３を機能させるための通信用アンテナ要素が位置しなくてもよい。
【０１１４】  ・ＩＣタグラベル１０はワインボトル４０に限らず、ワイン以外の他の飲料を保存する瓶に取り付けられてもよいし、飲料以外の液体を保存する瓶に取り付けられてもよい。ＩＣタグラベル１０が含む平面コイルが瓶口に取り付けられることで、ＩＣタグラベル１０がこれらの瓶に取り付けられても、瓶口を塞ぐ蓋を開けることなく瓶に保存された液体の出し入れが行われた可能性が高いことをＩＣタグラベル１０の状態から把握することはできる。
【０１１５】  ［第２実施形態］  図１１から図１４を参照して、ＩＣタグラベルを具体化した第２実施形態を説明する。第２実施形態のＩＣタグラベルは、第１実施形態のＩＣタグラベルと比べて、断線検知回路を備える点が異なっている。そのため以下では、こうした相違点を詳しく説明する一方で、第１実施形態と共通する構成には、第１実施形態と同じ符号を付し、かつ、当該構成の詳しい説明を省略する。また、以下では、表面パターンの構成、裏面パターンの構成、ＩＣタグラベルの作用、および、実施例を順番に説明する。
【０１１６】  ［表面パターンの構成］  図１１を参照して表面パターン１２１の構成を説明する。  図１１が示すように、表面パターン１２１は、第１表面パターン１３１、第２表面パターン１３２、第３表面パターン１３３、および、第４表面パターン１３４から構成されている。各パターンは、１本の導線である単線から形成されている。
【０１１７】  第１表面パターン１３１は、表面１１Ｆに沿って広がる平面コイルであり、第１コイル端部１３１ａと、第２コイル端部１３１ｂとを有している。表面１１Ｆは第１面の一例であり、第１表面パターン１３１は第１の通信用アンテナ要素の一例である。第１コイル端部１３１ａは第１端部の一例であり、第２コイル端部１３１ｂは第２端部の一例である。第１表面パターン１３１は瓶口上に配置される形状を有し、第１コイル端部１３１ａがＩＣチップ１２に電気的に接続されている。
【０１１８】  第１表面パターン１３１は、表面１１Ｆに沿って複数回回る螺旋状を有した平面コイルである。第１表面パターン１３１は、平面コイルの中央を含む空芯部１３１ｃを区画している。
【０１１９】  第２表面パターン１３２は、ブリッジ配線の一部である配線要素の一例である。ブリッジ配線は、第２コイル端部１３１ｂをＩＣチップ１２に電気的に接続する配線である。第２表面パターン１３２は、第１表面配線端部１３２ａと、第２表面配線端部１３２ｂとを有している。第１表面配線端部１３２ａは第３端部の一例であり、第２表面配線端部１３２ｂは第４端部の一例である。第１表面配線端部１３２ａはＩＣチップ１２に電気的に接続され、第２表面配線端部１３２ｂは、ブリッジ配線のなかで裏面１１Ｒに位置する部分に接続されている。第２表面パターン１３２は、第１表面パターン１３１の外周における一部に沿う線状を有している。
【０１２０】  第３表面パターン１３３は断線検知回路の一部であり、第１表面検知端部１３３ａと第２表面検知端部１３３ｂとを有している。第１表面検知端部１３３ａはＩＣチップ１２に電気的に接続され、第２表面検知端部１３３ｂは、断線検知回路のなかで裏面１１Ｒに位置する部分に電気的に接続されている。第３表面パターン１３３は、第１表面パターン１３１が区画する領域であって、上述した空芯部１３１ｃとは異なる領域の内部に位置している。
【０１２１】  第４表面パターン１３４は、第３表面パターン１３３と同様、断線検知回路の一部であり、第３表面検知端部１３４ａと第４表面検知端部１３４ｂとを有している。第３表面検知端部１３４ａは、ＩＣチップ１２に電気的に接続され、第４表面検知端部１３４ｂは、断線検知回路のなかで裏面１１Ｒに位置する部分に電気的に接続されている。第４表面パターン１３４は、第２表面パターン１３２と第１表面パターン１３１とによって区画される空間であって、第３表面パターン１３３が位置する空間に隣接する空間の内部に位置している。
【０１２２】  表面パターン１２１において、第２コイル端部１３１ｂ、第２表面配線端部１３２ｂ、第２表面検知端部１３３ｂ、および、第４表面検知端部１３４ｂの各々における線幅は、表面パターン１２１におけるこれら端部以外の部分における線幅よりも大きい。  なお、表面パターン１２１の全体は、ＩＣタグラベル１０のうち、上述した第１部分１０ａに含まれている。
【０１２３】  ［裏面パターンの構成］  図１２および図１３を参照して裏面パターンの構成を説明する。  図１２が示すように、裏面パターン１２２は、第１裏面パターン１４１および第２裏面パターン１４２から構成されている。各パターンは、１本の導線である単線から形成されている。
【０１２４】  第２裏面パターン１４２は断線検知回路の一部であり、裏面１１Ｒに位置する検知要素を含んでいる。第２裏面パターン１４２は、第１裏面検知端部１４２ａと第２裏面検知端部１４２ｂとを有している。第１裏面検知端部１４２ａは、第２表面検知端部１３３ｂに電気的に接続され、第２裏面検知端部１４２ｂは、第４表面検知端部１３４ｂに電気的に接続されている。基材１１の厚さ方向から見て、第１裏面検知端部１４２ａは第２表面検知端部１３３ｂと重なり、第２裏面検知端部１４２ｂは第４表面検知端部１３４ｂと重なっている。
【０１２５】  例えば、基材１１のうち、基材１１の厚さ方向において第１裏面検知端部１４２ａと第２表面検知端部１３３ｂとに挟まれる部分には、貫通孔が位置している。貫通孔の内部に埋め込まれた配線によって、第１裏面検知端部１４２ａは第２表面検知端部１３３ｂに電気的に接続されている。基材１１のうち、基材１１の厚さ方向において、第２裏面検知端部１４２ｂと第４表面検知端部１３４ｂとに挟まれる部分には、貫通孔が位置している。貫通孔の内部に埋め込まれた配線によって、第２裏面検知端部１４２ｂは第４表面検知端部１３４ｂに電気的に接続されている。
【０１２６】  なお、第１裏面検知端部１４２ａは、第２表面検知端部１３３ｂに、互いにかしめられることによって電気的に接続されてもよい。また、第２裏面検知端部１４２ｂは、第４表面検知端部１３４ｂに、互いにかしめられることによって電気的に接続されてもよい。
【０１２７】  第２裏面パターン１４２はさらに、環状部１４２ｃ、第１線状部１４２ｄ、および、第２線状部１４２ｅを含んでいる。第１線状部１４２ｄおよび第２線状部１４２ｅが、検知要素の一例である。環状部１４２ｃは、略円環状を有し、基材１１の表面１１Ｆと対向する平面視において、第１表面パターン１３１の外縁、および、第２表面パターン１３２における第１表面配線端部１３２ａを第２表面配線端部１３２ｂに繋ぐ部分にほぼ重なっている。すなわち、裏面１１Ｒのなかで、表面１１Ｆのうち平面コイルである第１表面パターン１３１と対向する領域が対向領域であり、環状部１４２ｃは、対向領域に位置している。
【０１２８】  第１線状部１４２ｄおよび第２線状部１４２ｅは、基材１１の表面１１Ｆと対向する平面視において、環状部１４２ｃの径方向に沿って、環状部１４２ｃから外側に向けて延びる直線状を有している。すなわち、第１線状部１４２ｄおよび第２線状部１４２ｅは、対向領域よりも外側に位置している。言い換えれば、第１線状部１４２ｄおよび第２線状部１４２ｅは、基材１１の表面１１Ｆと対向する平面視において、第１表面パターン１３１の周方向における別々の部位から、第１表面パターン１３１の径方向よりも外側に向けて延び、かつ、第１表面パターン１３１の径方向に沿って延びる１つの直線上に位置している。
【０１２９】  第２裏面パターン１４２では、第１裏面検知端部１４２ａ、環状部１４２ｃ、第１線状部１４２ｄ、および、第２裏面検知端部１４２ｂがこの順に接続され、第２線状部１４２ｅは、環状部１４２ｃの途中における第１裏面検知端部１４２ａと第１線状部１４２ｄとの間に位置している。
【０１３０】  断線検知回路は、第２裏面パターン１４２、第３表面パターン１３３、第４表面パターン１３４、第１裏面検知端部１４２ａを第２表面検知端部１３３ｂに繋ぐ配線、および、第２裏面検知端部１４２ｂを第４表面検知端部１３４ｂに繋ぐ配線によって構成されている。
【０１３１】  第１裏面パターン１４１はブリッジ配線に含まれるパターンであり、裏面１１Ｒにおける表面１１Ｆと対向する対向領域に位置している。第１裏面パターン１４１は、第１裏面配線端部１４１ａと第２裏面配線端部１４１ｂとを有している。第１裏面配線端部１４１ａは、第２コイル端部１３１ｂに電気的に接続され、第２裏面配線端部１４１ｂは、第２表面配線端部１３２ｂに電気的に接続されている。基材１１の厚さ方向から見て、第１裏面配線端部１４１ａは第２コイル端部１３１ｂと重なり、第２裏面配線端部１４１ｂは第２表面配線端部１３２ｂと重なっている。
【０１３２】  例えば、基材１１のうち、基材１１の厚さ方向において、第１裏面配線端部１４１ａと第２コイル端部１３１ｂとに挟まれる部分には、貫通孔が位置している。貫通孔の内部に埋め込まれた配線によって、第１裏面配線端部１４１ａは第２コイル端部１３１ｂに電気的に接続されている。基材１１のうち、基材１１の厚さ方向において、第２裏面配線端部１４１ｂと第２表面配線端部１３２ｂとに挟まれる部分には、貫通孔が位置している。貫通孔の内部に埋め込まれた配線によって、第２裏面配線端部１４１ｂは第２表面配線端部１３２ｂに電気的に接続されている。
【０１３３】  なお、第１裏面配線端部１４１ａは、第２コイル端部１３１ｂに、第２コイル端部１３１ｂに、互いにかしめられることによって電気的に接続されてもよい。また、第２裏面配線端部１４１ｂは、第２表面配線端部１３２ｂに、互いにかしめられることによって電気的に接続されてもよい。
【０１３４】  ブリッジ配線は、第１裏面パターン１４１、第２表面パターン１３２、第２コイル端部１３１ｂを第１裏面配線端部１４１ａに繋ぐ配線、および、第２裏面配線端部１４１ｂを第２表面配線端部１３２ｂに繋ぐ配線によって構成されている。第１表面パターン１３１の第２コイル端部１３１ｂは、こうしたブリッジ配線によってＩＣチップ１２に電気的に接続されている。
【０１３５】  第１裏面パターン１４１は、第２裏面パターン１４２の環状部１４２ｃが区画する領域の内部に位置し、基材１１の表面１１Ｆと対向する平面視において、環状部１４２ｃが区画する領域のうち、第１裏面検知端部１４２ａと第２裏面検知端部１４２ｂとが位置する部分を除く領域のほぼ全体に位置している。
【０１３６】  図１３が示すように、単線の一例である第１裏面パターン１４１は、折線部１４１ｃと環状部１４１ｄとをさらに含んでいる。環状部１４１ｄは、表面１１Ｆに沿って複数回回る螺旋状を有し、折線部１４１ｃの位置する領域を区画している。環状部１４１ｄは、裏面１１Ｒに位置する平面コイルであり、通信用アンテナ１３を機能させるための第２の通信用アンテナ要素である。
【０１３７】  折線部１４１ｃは、基材１１の表面１１Ｆと対向する平面視において、空芯部１３１ｃを複数回にわたり横切る折線形状を含んでいる。より詳しくは、折線部１４１ｃは、複数の屈曲部１４１ｃ１を有したつづら折り状、言い換えればメアンダ状を有する部分を含んでいる。基材１１の表面１１Ｆと対向する平面視において、複数の屈曲部１４１ｃ１の一部は、空芯部１３１ｃよりも外側に位置している。
【０１３８】  折線部１４１ｃにおいて、１つの屈曲部１４１ｃ１と他の屈曲部１４１ｃ１を結ぶ部分が延設部１４１ｃ２であり、折線部１４１ｃは、複数の延設部１４１ｃ２を含んでいる。各延設部１４１ｃ２は、１つの方向に沿って延びる直線状を有し、延設部１４１ｃ２が延びる方向と直交する方向に沿って、所定の間隔をあけて並んでいる。
【０１３９】  ［ＩＣタグラベルの作用］  図１４を参照してＩＣタグラベル１０の作用を説明する。  図１４は、ＩＣタグラベル１０が瓶口４１ａ１に取り付けられた状態において、表面１１Ｆと対向する平面視におけるＩＣタグラベル１０の平面構造を示している。図１４では、図示の便宜上、ＩＣタグラベル１０のうち、第１表面パターン１３１、第２表面パターン１３２、および、第１裏面パターン１４１のうち、第１表面パターン１３１が区画する空芯部１３１ｃと重なる部分のみを示している。
【０１４０】  図１４が示すように、瓶口４１ａ１と対向する平面視において、第１表面パターン１３１が区画する空芯部１３１ｃには、折線部１４１ｃが位置し、こうした空芯部１３１ｃが、コルク栓４２と重なるように配置される。そのため、ワインボトル４０のコルク栓４２に上述した針Ｎが刺されたときには、ブリッジ配線の一部である折線部１４１ｃが針Ｎによって断線される可能性が高まり、これにより、ＩＣチップ１２は、リーダとの通信を行うことができない状態に変わる可能性が高まる。
【０１４１】  それゆえに、ワインボトル４０に対して不正な操作、例えば上述したような本物のワインと偽物のワインとをすり替える操作が行われたことを、ＩＣタグラベル１０の状態から把握することができる。つまり、ＩＣタグラベル１０は、ワインボトル４０が開けられることなくワインボトル４０に対するワインの出し入れが行われたか否かの判断に用いることが可能である。
【０１４２】  なお、ＩＣタグラベル１０によれば、ＩＣタグラベル１０の状態を変えることなくワインボトル４０に対してワインを出し入れすることが難しいため、ワインボトル４０に対してＩＣタグラベル１０を配置することによって、本物のワインと偽物のワインとをすり替えることを抑止することが可能でもある。
【０１４３】  また、折線部１４１ｃがつづら折り状を含むため、通信用アンテナ要素である第１表面パターン１３１をＩＣチップ１２に電気的に接続するためのブリッジ配線として直線以外の所定の形状を有するパターンを用いても、通信用アンテナ１３を用いたＩＣチップ１２の通信に、折線部１４１ｃが影響を与えることが抑えられる。
【０１４４】  基材１１の表面１１Ｆと対向する平面視において、折線部１４１ｃに含まれる複数の屈曲部１４１ｃ１のうち、少なくとも一部の屈曲部１４１ｃ１が、空芯部１３１ｃよりも外側に位置している。そのため、空芯部１３１ｃよりも外側に位置する屈曲部１４１ｃ１に繋がる延設部１４１ｃ２は、空芯部１３１ｃの縁よりも外側まで延びている。それゆえに、屈曲部１４１ｃ１の全てが空芯部１３１ｃ内に位置する部分と比べて、空芯部１３１ｃにおいて、折線部１４１ｃが位置しない領域を小さくすることができる。
【０１４５】  基材１１の表面１１Ｆと対向する平面視において、言い換えれば瓶口４１ａ１と対向する平面視において、第１表面パターン１３１は、周方向における１／２以上が瓶口４１ａ１の外側縁４１ａｏよりも内側に位置する大きさを有している。しかも、瓶口４１ａ１と対向する平面視において、第１表面パターン１３１のうち、第２コイル端部１３１ｂよりも外側に位置する部分以外の部分が、瓶口４１ａ１の外側縁４１ａｏよりも内側に位置している。
【０１４６】  第１表面パターン１３１のほとんどが、瓶口４１ａ１の外側縁４１ａｏよりも外側にはみ出す構成と比べて、ＩＣタグラベル１０およびカプセル４３が瓶口４１ａ１に取り付けられるときに、第１表面パターン１３１に作用する外力が第１表面パターン１３１を変形させることが抑えられる。ひいては、第１表面パターン１３１が破壊されることが抑えられる。
【０１４７】  また、上述したように、表面１１Ｆと対向する平面視において、第２コイル端部１３１ｂおよび第２表面配線端部１３２ｂは、瓶口４１ａ１の内側縁４１ａｉよりも外側、かつ、瓶口４１ａ１の外側縁４１ａｏよりも内側に位置している。また、第２コイル端部１３１ｂの線幅は、第１表面パターン１３１における第２コイル端部１３１ｂ以外の部分よりも大きく、第２表面配線端部１３２ｂの線幅は、第２表面パターン１３２における第２表面配線端部１３２ｂ以外の部分よりも大きい。
【０１４８】  ここで、第２コイル端部１３１ｂおよび第２表面配線端部１３２ｂが瓶口４１ａ１の内側縁４１ａｉよりも内側に位置し、かつ、いずれかの端部に針Ｎが刺さったときには、表面パターン２１における他の部分に針Ｎが刺さったときと比べて、表面パターン２１が断線しない可能性が高まる。
【０１４９】  この点で、第２コイル端部１３１ｂおよび第２表面配線端部１３２ｂが瓶口４１ａ１の内側縁４１ａｉよりも外側に位置する構成によれば、コルク栓４２に刺された針Ｎは、折線部１４１ｃに刺さる可能性が高まり、結果として、ＩＣチップ１２が通信用アンテナ１３を通じた通信を行うことができない状態に変わる可能性が高まる。
【０１５０】  また、第２コイル端部１３１ｂおよび第２表面配線端部１３２ｂが瓶口４１ａ１の外側縁４１ａｏよりも内側に位置するため、ＩＣタグラベル１０およびカプセル４３が瓶口４１ａ１に取り付けられるときに、第２コイル端部１３１ｂおよび第２表面配線端部１３２ｂに作用する外力がこれら端部を変形させることが抑えられる。ひいては、第２コイル端部１３１ｂおよび第２表面配線端部１３２ｂが破壊されることが抑えられる。
【０１５１】  ＩＣチップ１２は、基材１１の表面１１Ｆにおいて瓶口４１ａ１の外側縁４１ａｏよりも内側に位置し、ＩＣチップ１２はさらに、瓶口４１ａ１の内側縁４１ａｉよりも内側に位置している。そのため、ＩＣタグラベル１０およびカプセル４３が瓶口４１ａ１に取り付けられるときに、ＩＣチップ１２に外力が作用することによって、ＩＣチップ１２が破壊されることが抑えられる。
【０１５２】  ［実施例２］  ３８μｍの厚さを有したＰＥＴフィルムである基材と、ＩＣチップ（Wisekey社製、VaultIC154）とを準備した。基材の表面と裏面とに３０μｍの厚さを有するアルミニウム膜を形成した後、アルミニウム膜をエッチングすることによって、表面パターンと裏面パターンとを形成した。このとき、表面パターンにおける各端部以外の部分の線幅を０．３ｍｍとし、裏面パターンにおける各端部以外の部分の線幅を０．３ｍｍとした。これにより、通信用アンテナと断線検知回路とを形成した。
【０１５３】  導電性接着剤を用いて表面パターンにＩＣチップを実装した。次いで、基材を所定の形状に成形した後、基材の縁にスリットを形成した。これにより、実施例２のＩＣタグラベルを得た。
【０１５４】  実施例２のＩＣタグラベルのうち、第１表面パターンが区画する空芯部がワインボトルのコルク栓に重なるように、ＩＣタグラベルをワインボトルに貼り付けた後、ワインボトルの瓶口にカプセルを取り付けた。
【０１５５】  ワインボトルのコルク栓に針を刺した後に、コルク栓から針を抜いた。そして、ＩＣタグラベルにリーダをかざしたところ、ＩＣチップがリーダとの通信を行うことができないことが認められた。すなわち、実施例２のＩＣタグラベルによれば、コルク栓に針が刺されたときに、表面と対向する平面視において空芯部に重なる折線部の一部が切断されることによって、通信用アンテナが機能しない状態になることが認められた。  以上説明したように、ＩＣタグラベルを具体化した第２実施形態によれば、上述した（１）から（６）と同等の効果を得ることができる。
【０１５６】  ［第３実施形態］  図１５を参照して、ＩＣタグラベルを具体化した第３実施形態を説明する。第３実施形態のＩＣタグラベルは、第２実施形態のＩＣタグラベルと比べて、裏面パターンの形状が異なっている。そのため以下では、こうした相違点を詳しく説明する一方で、第２実施形態と共通する構成の説明を省略する。なお、第３実施形態においては、第２実施形態における第１表面パターン１３１が、通信用アンテナ１３としての機能を発現する平面コイルである。
【０１５７】  ［裏面パターンの構成］  図１５を参照して裏面パターンの構成を説明する。  図１５が示すように、裏面パターン１６０は、第１裏面パターン１６１、および、検知要素を含む第２裏面パターン１６２から構成されている。
【０１５８】  第１裏面パターン１６１は、第１裏面配線端部１６１ａと第２裏面配線端部１６１ｂとを有している。第１裏面パターン１６１は、第１裏面配線端部１６１ａから第２裏面配線端部１６１ｂに向けて延びる帯状を有している。第１裏面パターン１６１の線幅は、各端部の直径に等しく、かつ、第２裏面パターン１６２を形成する裏面用導線よりも太い。第１裏面パターン１６１は、ブリッジ配線に含まれている。
【０１５９】  例えば、基材１１のうち、基材１１の厚さ方向において、第１裏面配線端部１６１ａと第２コイル端部１３１ｂとに挟まれる部分には、貫通孔が位置している。貫通孔の内部に埋め込まれた配線によって、第１裏面配線端部１６１ａは第２コイル端部１３１ｂに電気的に接続されている。基材１１のうち、基材１１の厚さ方向において、第２裏面配線端部１６１ｂと第２表面配線端部１３２ｂとによって挟まれる部分には、貫通孔が位置している。貫通孔の内部に埋め込まれた配線によって、第２裏面配線端部１６１ｂは第２表面配線端部１３２ｂに電気的に接続されている。
【０１６０】  なお、第１裏面配線端部１６１ａは、第２コイル端部１３１ｂに、互いにかしめられることによって電気的に接続されてもよい。また、第２裏面配線端部１６１ｂは、第２表面配線端部１３２ｂに、互いにかしめられることによって電気的に接続されてもよい。
【０１６１】  また、ブリッジ配線は、基材１１の裏面１１Ｒに位置していなくてもよく、基材１１の表面１１Ｆ上に形成された絶縁膜の上に位置してもよい。より詳しくは、第１表面パターン１３１のうち、第２コイル端部１３１ｂと第２表面配線端部１３２ｂとを結ぶ帯状を有し、かつ、各端部を露出させる絶縁膜が、第１表面パターン１３１の一部を覆っている。そして、ブリッジ配線は、絶縁膜に沿って延びるとともに、第２コイル端部１３１ｂおよび第２表面配線端部１３２ｂを覆うことによって、これら端部に電気的に接続される。
【０１６２】  第２裏面パターン１６２は単線の一例であり、第１裏面検知端部１６２ａ、第２裏面検知端部１６２ｂ、折線部１６２ｃ、環状部１６２ｄ、第１線状部１６２ｅ、および、第２線状部１６２ｆから構成されている。第１線状部１６２ｅおよび第２線状部１６２ｆは、検知要素の一例である。
【０１６３】  折線部１６２ｃは、基材１１の表面１１Ｆと対向する平面視において、第１表面パターン１３１が区画する空芯部１３１ｃと重なっている。折線部１６２ｃは、第２実施形態の折線部１４１ｃと同様、つづら折り状、言い換えればメアンダ状を有する折線形状を含んでいる。折線部１６２ｃは、複数の屈曲部１６２ｃ１と、複数の延設部１６２ｃ２とから構成されている。
【０１６４】  環状部１６２ｄは、折線部１６２ｃおよび第１裏面パターン１６１を取り囲む略環状を有している。第１線状部１６２ｅおよび第２線状部１６２ｆの各々は、環状部１６２ｄの径方向に沿って、環状部１６２ｄよりも外側に向けて延びる直線状を有している。第１線状部１６２ｅと第２線状部１６２ｆとは、環状部１６２ｄの径方向に沿う１つの直線上に位置している。
【０１６５】  第２裏面パターン１６２において、第１裏面検知端部１６２ａ、環状部１６２ｄ、折線部１６２ｃ、第１線状部１６２ｅ、および、第２裏面検知端部１６２ｂがこの順に接続され、第２線状部１６２ｆは、環状部１６２ｄの途中に位置している。第２裏面パターン１６２は、第２実施形態の第２裏面パターン１４２と同様、断線検知回路に含まれている。
【０１６６】  こうした構成では、折線部１６２ｃがつづら折り状を有するため、折線部１６２ｃが切断されるときには、折線部１６２ｃのうち、複数の延設部１６２ｃ２が一度に切断される可能性が高い。それゆえに、折線部１６２ｃにおいて切断された部分を切断前の折線部１６２ｃと同様の状態で繋ぐことが難しく、一部が切断された折線部１６２ｃを切断前と同様の機能を発現することが可能な状態とすることが難しい。
【０１６７】  また、折線部１６２ｃは断線検知回路の一部であるため、折線部１６２ｃの一部が切断されたときには、ＩＣチップ１２は、断線検知回路が断線したことを示す信号を生成して、リーダに送信することが可能である。そのため、リーダの使用者は、ＩＣチップ１２から送信された信号によって、断線検知回路が断線したことを把握することが可能である。
【０１６８】  以上説明したＩＣタグラベルの第３実施形態によれば、上述した（２）から（６）と同等の効果に加えて、以下の効果を得ることができる。  （７）表面１１Ｆと対向する平面視において、第１表面パターン３１が区画する空芯部１３１ｃには折線部１６２ｃが位置する。そのため、瓶口４１ａ１を塞ぐ蓋に針Ｎが刺されたときには、折線部１６２ｃの一部が針によって断線される可能性が高まる。これにより、断線検知回路が断線した状態に変わる。それゆえに、ワインボトル４０に対して不正な操作、例えば本物のワインと偽物のワインとをすり替える操作が行われたことを、ＩＣタグラベル１０の状態から把握することができる。
【０１６９】  ［第２実施形態および第３実施形態の変形例］  上述した第２実施形態および第３実施形態は、以下のように適宜変更して実施することができる。  ・第２コイル端部１３１ｂおよび第２表面配線端部１３２ｂの少なくとも一方は、瓶口４１ａ１において、瓶口４１ａ１の外側縁４１ａｏよりも外側に位置してもよいし、瓶口４１ａ１の内側縁４１ａｉよりも内側に位置してもよい。第２コイル端部１３１ｂおよび第２表面配線端部１３２ｂの少なくとも一方が、上述したいずれかの位置に配置されたとしても、裏面パターンが、表面１１Ｆと対向する平面視において空芯部１３１ｃに重なる折線部を有する以上は、上述した（１）と同等の効果を得ることはできる。
【０１７０】  ・第１表面パターン１３１のうち、周方向における１／２未満のみが、瓶口４１ａ１の外側縁４１ａｏよりも内側に位置してもよい。こうした構成であっても、裏面パターンが、表面１１Ｆと対向する平面視において空芯部１３１ｃに重なる折線部を有する以上は、上述した（１）と同等の効果を得ることはできる。
【０１７１】  ・第１線状部および第２線状部は、第１表面パターン１３１の径方向に沿って延びる一方で、互いに異なる直線上に位置してもよい。こうした構成であっても、各線状部が第１表面パターン１３１の径方向に沿って延びるため、第１表面パターン１３１が瓶口４１ａ１に配置されたとき、第１線状部と第２線状部とを首部４１ａの外周面に配置することができる。
【０１７２】  ・第１線状部および第２線状部は、第１表面パターン１３１の径方向とは異なる方向に沿って延びる直線状を有してもよい。こうした構成であっても、各線状部が第１表面パターン１３１よりも外側に位置する構成であれば、ＩＣチップ１２が通信用アンテナ１３を通じた通信が可能である一方で、線状部の少なくとも一方が断線した状態とすることが可能ではある。
【０１７３】  ・断線検知回路は第１線状部および第２線状部のいずれか一方のみを含んでもよい。こうした構成であっても、１つの線状部によれば、ＩＣチップ１２が通信用アンテナ１３を通じた通信が可能である一方で、線状部が断線した状態とすることが可能ではある。
【０１７４】  ・第１線状部および第２線状部は、基材１１の裏面１１Ｒに位置していなくてもよく、基材１１の表面１１Ｆに位置してもよい。こうした構成であっても、第１線状部および第２線状部は、それぞれ平面コイルよりも外側に位置していればよい。  ・第１線状部と第２線状部とが、各線状部が延びる方向に沿って複数の屈曲部が並ぶつづら折り状、言い換えればメアンダ状を有してもよい。
【０１７５】  ・ブリッジ配線は、第１表面パターン１３１の第２コイル端部１３１ｂを電気的にＩＣチップ１２に接続することが可能であり、かつ、配線要素を含んでいれば、第２表面パターン１３２を有していなくてもよい。例えば、ブリッジ配線は、裏面１１Ｒに位置するパターンと、表面１１Ｆと裏面１１Ｒとの間を貫通する配線であって、裏面１１Ｒに位置するパターンをＩＣチップ１２に接続する配線とから構成されてもよい。
【０１７６】  ・第２実施形態において、断線検知回路に含まれるとともに、折線形状を含む単線は、基材１１の裏面１１Ｒに限らず、基材１１の表面１１Ｆに位置してもよい。こうした構成であっても、表面１１Ｆと対向する平面視において、折線形状を含む単線が、平面コイルの区画する空芯部に重なっていれば、上述した（１）と同等の効果を得ることはできる。
【０１７７】  ・断線検知回路は、ＩＣチップ１２に接続することが可能であり、かつ、裏面１１Ｒに位置する検知要素を含んでいれば、第３表面パターン１３３および第４表面パターン１３４を有していなくてもよい。例えば、断線検知回路は、裏面１１Ｒに位置するパターンと、表面１１Ｆと裏面１１Ｒとの間を貫通する２つの配線とから構成されてもよい。この場合には、２つの配線の一方は、裏面１１Ｒに位置するパターンの一端をＩＣチップ１２に接続する配線であり、他方は、裏面１１Ｒに位置するパターンの他端とＩＣチップ１２とを接続する配線であればよい。
【０１７８】  ・ブリッジ配線または断線検知回路に含まれる単線は、上述した折線形状を含む構成に限らず、表面１１Ｆと対向する平面視において、第１表面パターン３１が区画する空芯部１３１ｃと重なる螺旋形状を含む構成であってもよい。すなわち、ブリッジ配線または断線検知回路に含まれる単線は、図９および図１０の各々を参照して先に説明した構成であってもよい。  ・第２実施形態の構成、および、第３実施形態の構成の各々は、上述した第１実施形態の変形例と適宜組み合わせて実施することができる。
【０１７９】  ［第４実施形態］  図１６から図１８を参照して第４実施形態のＩＣタグラベルを説明する。  図１６が示すように、ＩＣタグラベル付瓶２１０は、瓶本体２０１、栓体２０２、カプセル２０３、および、ＩＣタグラベル２０４から構成されている。後述するように、ＩＣタグラベル２０４は、栓体２０２とカプセル２０３との間に配置され、かつ、栓体２０２とカプセル２０３との両方に接着されている。
【０１８０】  瓶本体２０１は注出口を瓶本体２０１の上部に有し、例えばガラス製である。瓶本体２０１には、例えば日本酒などの酒類を収容することができる。なお、瓶本体２０１は、ガラス製に限らず、例えばプラスチック製であってもよい。
【０１８１】  栓体２０２は、瓶本体２０１の注出口に挿嵌され、これによって注出口を閉塞する。栓体２０２には、例えば、コルク製の栓体、あるいは、プラスチック製かつ中空の栓体を使用することができる。
【０１８２】  図１７が示すように、カプセル２０３は、有底筒状を有し、筒状側壁２３１と底部２３２とから構成されている。底部２３２は、栓体２０２の上面に密着し、かつ、栓体２０２の上面の一部を被覆する。筒状側壁２３１は、瓶本体２０１において注出口の近傍における側面に密着し、かつ、側面を被覆する。言い換えれば、筒状側壁２３１は、瓶本体２０１が備える瓶首の外表面に密着し、かつ、瓶首の外表を被覆する。底部２３２の中央には孔２０３ａが設けられているが、底部２３２には孔２０３ａが設けられていなくてもよい。言い換えれば、底部２３２は、円環状を有しているが、円板状を有してもよい。
【０１８３】  このカプセル２０３を形成する材料には、例えば、筒状のシュリンクフィルムを使用することができる。すなわち、筒状を有したシュリンクフィルムが区画する空間の内部に瓶本体２０１の注出口を含む瓶首を挿入し、次いで、シュリンクフィルムを加熱することによって、筒状側壁２３１が収縮して瓶本体２０１の注出口の近傍における側面に密着する。また、底部２３２が収縮して、栓体２０２の上面における外周縁に密着する。なお、こうしたシュリンクフィルム製のカプセル２０３に限らず、カプセル２０３として、金属薄板を絞り成型したカプセルなどを使用することも可能である。
【０１８４】  図１８が示すように、ＩＣタグラベル２０４は、シート状のＩＣタグ基材２４１にアンテナ２４２を設け、ＩＣタグ基材２４１にＩＣチップ１２を搭載し、アンテナ２４２をＩＣチップ１２に電気的に接続することによって得られる。なお、ＩＣタグ基材２４１には、ＩＣタグ基材２４１が広がる平面と対向する平面視においてアンテナ２４２を横断する脆弱加工線２０４ｘを設けることによって、ＩＣタグ基材２４１の脆性破壊を可能にすることが望ましい。
【０１８５】  ＩＣタグ基材２４１には、ポリエチレンテレフタレート（ＰＥＴ）、ポリエチレンナフタレート（ＰＥＮ）、および、ポリカーボネートなどから形成されたプラスック基材を用いることができる。
【０１８６】  アンテナ２４２には、ループアンテナまたはダイポールアンテナを使用することができる。アンテナ２４２には、例えば、絶縁性被膜などによって覆われた導線を引き回すことによって形成されたアンテナを用いることができる。また、アンテナ２４２には、ＩＣタグ基材２４１上に金属箔を貼り合わせた後、金属箔をエッチングすることにより形成されたアンテナを用いることもできる。あるいは、アンテナ２４２には、ＩＣタグ基材２４１上に導電性インキを印刷することによって形成されたアンテナを用いることも可能である。
【０１８７】  脆弱加工線２０４ｘは、ＩＣタグ基材２４１の破断を可能にし、ＩＣタグ基材２４１の破断に伴ってアンテナ２４２を破断することによって、アンテナ２４２の機能を奪う役割を有している。言い換えれば、脆弱加工線２０４ｘは、アンテナ２４２の破断によって、アンテナ２４２の機能を不全にする役割を有している。そのため、上述したように、脆弱加工線２０４ｘは、ＩＣタグ基材２４１が広がる平面と対向する平面視において、アンテナ２４２を横断するように配置されていることが好ましい。また、同じ理由から、ＩＣタグラベル２０４の製造工程では、脆弱加工線２０４ｘは、ＩＣタグ基材２４１上にアンテナ２４２を形成する前の工程で設けることが好ましい。例えば、ＩＣタグ基材２４１に脆弱加工線２０４ｘを設けた後、絶縁性被膜などにより覆われた導線を引き回してアンテナ２４２を形成し、最後にＩＣチップ１２をＩＣタグ基材２４１に搭載してＩＣタグラベル２０４を得ることができる。脆弱加工線２０４ｘは例えばミシン目で構成することができる。あるいは、脆弱加工線２０４ｘは、ハーフカット線であってもよい。ＩＣタグ基材２４１が広がる平面と対向する平面視において、脆弱加工線２０４ｘは直線状であってもよいし、曲線状であってもよい。
【０１８８】  ＩＣタグラベル２０４は、ＩＣタグラベル２０４を栓体２０２およびカプセル２０３の両方に接着するため、ＩＣタグラベル２０４の両面に接着層２０５ａ，２０５ｂを備えている。すなわち、ＩＣタグ基材２４１において、アンテナ２４２が位置する面が上面であり、上面とは反対側の面が下面である。ＩＣタグラベル２０４は、ＩＣタグ基材２４１の上面に上面接着層２０５ａを有し、かつ、ＩＣタグ基材２４１の下面に下面接着層２０５ｂを有している。接着層２０５ａ，２０５ｂは、ＩＣタグラベル２０４に接着剤を塗布することによってＩＣタグ基材２４１に設けることができる。
【０１８９】  なお、接着層２０５ａ，２０５ｂには、接着剤に限らず、例えば、粘着剤、または、加熱によって接着力を発揮する感熱接着剤を用いることができる。接着層２０５ａ，２０５ｂに感熱接着剤を使用する場合には、接着層２０５ａ，２０５ｂには接着力を発現する温度が互いに異なる感熱接着剤を使用することも可能である。例えば、上面接着層２０５ａには第１の温度で接着力を発現する感熱接着剤を使用し、下面接着層２０５ｂには、第１の温度よりも低い第２の温度で接着力を発現する感熱接着剤を使用することができる。また、ＩＣタグラベル２０４に接着剤あるいは粘着剤を塗布する代わりに、両面接着テープを使用して、言い換えれば、両面接着テープをＩＣタグ基材２４１に貼り付けることによって、接着層２０５ａ，２０５ｂを形成することも可能である。
【０１９０】  接着層２０５ａ，２０５ｂは、ＩＣタグラベル２０４、言い換えればＩＣタグ基材２４１における両面の全面に設けられることを必要としない。本実施形態では、上面接着層２０５ａと下面接着層２０５ｂとのいずれについても、ＩＣタグ基材２４１の一部に設けられている。
【０１９１】  接着層２０５ａ，２０５ｂのうち、上面接着層２０５ａはＩＣタグ基材２４１の上面に設けられて、カプセル２０３の底部２３２に接着する接着層である。上述のように、カプセル２０３の底部２３２には、その中央に孔２０３ａが設けられているから、上面接着層２０５ａは孔２０３ａを避けて、カプセル２０３の底部２３２に接着するように部分的に設けられている。言い換えれば、上面接着層２０５ａは、ＩＣタグラベル２０４がカプセル２０３と栓体２０２との間に配置されるときに、ＩＣタグ基材２４１のなかで、カプセル２０３の底部２３２によって覆われる部位にのみ位置している。なお、上面接着層２０５ａは、ＩＣタグ基材２４１のなかで底部２３２によって覆われる部位のうち、全体に位置する環状を有してもよいし、一部に位置してもよい。
【０１９２】  一方、下面接着層２０５ｂは、栓体２０２に接着するための接着層であり、ＩＣタグラベル２０４の下面の略中央に部分的に設けられている。下面接着層２０５ｂは、下面接着層２０５ｂと上面接着層２０５ａとの間の領域に、脆弱加工線２０４ｘが位置するように配置されている。言い換えれば、ＩＣタグ基材２４１が広がる平面と対向する平面視において、ＩＣタグ基材２４１の上面のなかで、上面接着層２０５ａは下面接着層２０５ｂよりも外側に位置し、かつ、上面接着層２０５ａは下面接着層２０５ｂから離れている。そして、脆弱加工線２０４ｘは、ＩＣタグ基材２４１が広がる平面と対向する平面視において、上面接着層２０５ａと下面接着層２０５ｂとの間、すなわちいずれの接着層２０５ａ，２０５ｂも位置しない部位に位置している。
【０１９３】  接着層２０５ａ，２０５ｂをＩＣタグ基材２４１の両面に有するＩＣタグラベル２０４を栓体２０２の上に配置し、カプセル２０３をかぶせて、栓体２０２とＩＣタグラベル２０４とを接着し、かつ、ＩＣタグラベル２０４とカプセル２０３の底部２３２とを接着することにより、上述したＩＣタグラベル付瓶２１０を製造することができる。カプセル２０３がシュリンクフィルムで構成される場合には、シュリンクフィルムを加熱して、シュリンクフィルムを収縮させることによりカプセル２０３を形成すると同時に、栓体２０２とＩＣタグラベル２０４とを接着させ、かつ、ＩＣタグラベル２０４とカプセル２０３とを接着させることが可能である。また、カプセル２０３をかぶせた後に、カプセル２０３の外部からカプセル２０３およびＩＣタグラベル２０４を押圧することにより、カプセル２０３とＩＣタグラベル２０４とを接着し、かつ、ＩＣタグラベル２０４と栓体２０２とを接着することもできる。
【０１９４】  こうして得られたＩＣタグラベル付瓶２１０では、カプセル２０３を破断した後、栓体２０２を抜くことにより注出口を開くことができる。また、ＩＣタグラベル付瓶２１０において、カプセル２０３を破断することなく注出口を開くことは不可能である。そして、カプセル２０３を破断したとき、これに伴ってＩＣタグラベル２０４が脆弱加工線２０４ｘで破断し、その一方の断片はカプセル２０３に接着したまま、カプセル２０３とともに瓶本体２０１から取り除かれ、他方の断片は栓体２０２に接着したまま、栓体２０２の上に残る。そして、ＩＣタグラベル２０４の破断により、アンテナ２４２も破断し、これによってアンテナ２４２はアンテナ機能を失う。アンテナ２４２がアンテナ機能を失った場合、このように破断されたＩＣタグラベル２０４にリーダーライターを近づけてもＩＣチップ１２とリーダーライターとの間で通信することは不可能となる。なお、このように破断したアンテナ２４２をもとのように再生して、ＩＣタグラベル２０４によって、ＩＣタグラベル付瓶２１０の開封前と同様の通信を行うことはできない。ひいては、例えば、瓶本体２０１に収容された酒類などの高価な内容物を、安価な内容物に不正に入れ替えることが不可能になる。
【０１９５】  なお、上述した第４実施形態は、以下のように適宜変更して実施することができる。  ・第４実施形態のアンテナ２４２には、第１実施形態の通信用アンテナ１３、第２実施形態の通信用アンテナ１３および断線検知回路、および、第３実施形態の通信用アンテナ１３および断線検知回路の各々を適用することが可能である。
【符号の説明】
【０１９６】  １０，２０４…ＩＣタグラベル、１０ａ，５１ａ，５２ａ１，５２ｂ１…第１部分、１０ｂ，５１ｂ，５２ａ２，５２ｂ２…第２部分、１０ｃ…第３部分、１１…基材、１１ａ…スリット、１１Ｆ…表面、１１Ｒ…裏面、１２…ＩＣチップ、１３…通信用アンテナ、２１，１２１…表面パターン、２２，１２２，１６０…裏面パターン、２２ａ…第１裏面配線端部、２２ｂ…第２裏面配線端部、２２ｃ，３１ｃ，１４１ｄ，１４２ｃ，１６２ｄ…環状部、２２ｄ，１４１ｃ，１６２ｃ…折線部、２２ｄ１，１４１ｃ１，１６２ｃ１…屈曲部、２２ｄ２，１４１ｃ２，１６２ｃ２…延設部、３１，１３１…第１表面パターン、３１ａ，１３１ａ…第１コイル端部、３１ｂ，１３１ｂ…第２コイル端部、３１ｄ，１３１ｃ…空芯部、３１ｅ，１４２ｄ，１６２ｅ…第１線状部、３２，１３２…第２表面パターン、３２ａ，１３２ａ…第１表面配線端部、３２ｂ，１３２ｂ…第２表面配線端部、３２ｃ…弧状部、３２ｄ，１４２ｅ，１６２ｆ…第２線状部、４０…ワインボトル、４１…ボトル本体、４１ａ…首部、４１ａ１…瓶口、４１ａｉ…内側縁、４１ａｏ…外側縁、４１ｂ…肩部、４１ｃ…胴部、４２…コルク栓、４３，２０３…カプセル、５１，５２…螺旋部、５２ａ…第１要素、５２ｂ…第２要素、１３３…第３表面パターン、１３３ａ…第１表面検知端部、１３３ｂ…第２表面検知端部、１３４…第４表面パターン、１３４ａ…第３表面検知端部、１３４ｂ…第４表面検知端部、１４１，１６１…第１裏面パターン、１４１ａ，１６１ａ…第１裏面配線端部、１４１ｂ，１６１ｂ…第２裏面配線端部、１４２，１６２…第２裏面パターン、１４２ａ，１６２ａ…第１裏面検知端部、１４２ｂ，１６２ｂ…第２裏面検知端部、２０１…瓶本体、２０２…栓体、２０３ａ…孔、２０４ｘ…脆弱加工線、２０５ａ…上面接着層、２０５ｂ…下面接着層、２１０…ＩＣタグラベル付瓶、２３１…筒状側壁、２３２…底部、２４１…ＩＣタグ基材、２４２…アンテナ、Ｎ…針。
【図１】
2018110512.tif 000003
【図２】
2018110512.tif 000004
【図３】
2018110512.tif 000005
【図４】
2018110512.tif 000006
【図５】
2018110512.tif 000007
【図６】
2018110512.tif 000008
【図７】
2018110512.tif 000009
【図８】
2018110512.tif 000010
【図９】
2018110512.tif 000011
【図１０】
2018110512.tif 000012
【図１１】
2018110512.tif 000013
【図１２】
2018110512.tif 000014
【図１３】
2018110512.tif 000015
【図１４】
2018110512.tif 000016
【図１５】
2018110512.tif 000017
【図１６】
2018110512.tif 000018
【図１７】
2018110512.tif 000019
【図１８】
2018110512.tif 000020
【国際調査報告】
2018110512.tif 000021
2018110512.tif 000022